(57)【要約】【課題】製作の容易化を図りながらも、一般家庭等において有効に活用できる調理支援装置を提供する【解決手段】調理支援用制御手段５１が、複数の献立のうちから複数の献立が選択されたときには、選択された複数の献立の夫々について、複数段階の調理内容のうちの未処理の調理内容のうちで最初に行うことになる実行予定調理内容を、献立情報記憶部８０の記憶情報及び調理進行情報に基づいて管理して、実行予定調理内容が複数段階の調理内容のうちのいずれの段階であるかを示す予定調理内容段階情報、及び、選択された複数の献立の夫々についての実行予定調理内容が、調理者担当内容、放置形式内容及び調理器担当内容のいずれであるかを示す予定調理内容区別情報を含む調理進行判別情報を、調理関連情報として作成して、表示手段５２ｄに表示するように構成されている。【選択図】図１０
2014211802.tif 000002
【特許請求の範囲】
【請求項１】
調理器を用いて作成する複数の献立及びそれら献立を作成するための複数段階の調理内容を示す調理手順を記憶する献立情報記憶部と、
調理者が情報を入力する入力部と、
調理者に報知する報知情報を表示する表示手段と、
前記入力部に入力された献立選択情報及び前記献立情報記憶部に記憶された記憶情報に基づいて、複数の献立のうちの選択された献立についての前記調理手順に関連する調理関連情報を作成して、その調理関連情報を前記報知情報として前記表示手段に表示する調理支援用制御手段とを備えた調理支援装置であって、
前記献立情報記憶部が、複数の献立夫々の複数段階の前記調理内容について、調理者が所定の調理作業を行ったのちは設定放置時間が経過するまで放置する放置形式内容、調理者の調理作業によって完成される調理者担当内容、及び、前記調理器が設定運転条件に基づいて自動調理運転を行う調理器担当内容のいずれであるかを区別する状態で記憶するように構成され、
前記調理支援用制御手段が、
複数の献立のうちから複数の献立が選択されたときには、選択された複数の献立の夫々について、複数段階の前記調理内容のうちの未処理の調理内容のうちで最初に行うことになる実行予定調理内容を、前記献立情報記憶部の記憶情報及び調理進行情報に基づいて管理して、
選択された複数の献立の夫々についての前記実行予定調理内容が複数段階の前記調理内容のうちのいずれの段階であるかを示す予定調理内容段階情報、及び、選択された複数の献立の夫々についての前記実行予定調理内容が、前記調理者担当内容、前記放置形式内容及び前記調理器担当内容のいずれであるかを示す予定調理内容区別情報を含む調理進行判別情報を、前記調理関連情報として作成するように構成されている調理支援装置。
【請求項２】
携帯情報端末に、前記献立情報記憶部、前記入力手段、前記表示手段、及び、前記調理支援用制御手段が備えられている請求項１記載の調理支援装置。
【請求項３】
前記調理支援用制御手段が、
前記調理進行判別情報を前記表示手段に表示する献立表示状態において、複数の献立のうちの一つを指示する献立指示情報及び指示された献立における複数段階の前記調理内容のうちの一つを選択する段階選択情報が前記入力手段にて入力されることに基づいて、前記献立指示情報にて指示された献立における前記段階選択情報にて選択された段階の前記調理内容を示す調理内容情報を、前記調理関連情報として作成して、前記調理内容情報を前記表示手段に表示する調理内容表示状態に切換えるように構成され、かつ、
前記調理内容表示状態において、表示終了情報が前記入力手段にて入力されることに基づいて、前記献立表示状態に切換えるように構成されている請求項１又は２記載の調理支援装置。
【請求項４】
前記調理支援用制御手段が、前記段階選択情報にて選択された段階の前記調理内容が前記調理者担当内容、前記放置形式内容及び前記調理器担当内容のいずれであるかを示す調理内容区別情報、及び、前記段階選択情報にて選択された段階の前記調理内容が複数段階の前記調理内容のうちのいずれの段階であるかを示す調理内容段階情報を、前記調理内容情報に含ませるように構成されている請求項３記載の調理支援装置。
【請求項５】
前記調理支援用制御手段が、
前記実行予定調理内容が前記放置形式内容である場合において、前記設定放置時間の計測を開始する計測開始情報が前記入力手段にて入力されると、その時点からの経過時間の計測を開始して、前記経過時間が前記設定放置時間に達すると、放置時間経過済情報を前記表示手段に表示させるように構成されている請求項１〜４のいずれか１項に記載の調理支援装置。
【請求項６】
前記調理支援用制御手段と前記調理器とが通信自在に接続され、
前記調理器が、前記設定運転条件に基づいた前記自動調理運転を終了すると、自動運転終了情報を通信するように構成され、
前記調理支援用制御手段が、前記調理器からの前記自動運転終了情報を受信すると、前記調理器担当内容に対応する前記調理内容の調理が終了したことを示す調理器担当内容終了情報を前記表示手段に表示するように構成されている請求項１〜５のいずれか１項に記載の調理支援装置。
【請求項７】
前記調理支援用制御手段が、前記実行予定調理内容が前記調理器担当内容である場合において、前記設定運転条件の通信指令が前記入力手段にて入力されると、前記設定運転条件を前記調理器に通信するように構成されている請求項６記載の調理支援装置。
【請求項８】
前記調理器が、前記設定運転条件に基づいた前記自動調理運転の進み具合を示す運転進行情報を通信するように構成され、
前記調理支援用制御手段が、前記調理器からの前記運転進行情報に基づいて、前記調理器担当内容に対応する前記調理内容の調理進捗情報を前記表示手段に表示するように構成されている請求項６又は７記載の調理支援装置。
【発明の詳細な説明】
【技術分野】
【０００１】
本発明は、調理器を用いて作成する複数の献立及びそれら献立を作成するための複数段階の調理内容を示す調理手順を記憶する献立情報記憶部と、
調理者が情報を入力する入力部と、
調理者に報知する報知情報を表示する表示手段と、
前記入力部に入力された献立選択情報及び前記献立情報記憶部に記憶された記憶情報に基づいて、複数の献立のうちの選択された献立についての前記調理手順に関連する調理関連情報を作成して、その調理関連情報を前記報知情報として前記表示手段に表示する調理支援用制御手段とを備えた調理支援装置に関する。
【背景技術】
【０００２】
かかる調理支援装置は、複数の献立のうちから選択された献立についての調理手順に関連する調理関連情報を表示手段に表示することにより、献立に関する調理作業が不慣れな調理者においても適切に調理作業を行えるようにしたものである。
尚、本明細書において、調理者とは、実際に調理を行う人に限らず、調理を補助する人等、調理支援装置を使用することになる者を意味するものである。
【０００３】
このような調理支援装置の従来例として、幼稚園や老人福祉施設などにおいて、複数の調理者が手分けして大量の料理を作成する場合において、複数の献立のうちから複数の献立が選択されたときに、複数の献立夫々の調理手順に対応するバー状の表示部を、その調理手順の全てを行うのに要する総時間に対応する長さに定め、かつ、複数段階の調理内容の夫々の作業時間に応じた区分け線を備える状態に作成して、それらのバー状の表示部を、調理者にて入力された目標完成時刻を基準にして、互いに平行する姿勢で上下に並べる形態で、調理作業スケジュールとして表示させるようにしたものがある（例えば、特許文献１参照。）。
【０００４】
そして、特許文献１では、調理作業スケジュールが表示された状態において、各献立に対応するバー状の表示部における複数段階の調理内容に対応する部分のいずれかを選択することにより、選択された調理内容が、説明文等により具体的に表示されるように構成されている。
【０００５】
すなわち、調理手順に含まれる複数段階の調理内容には、調理者が所定の調理作業を行ったのちは設定放置時間が経過するまで放置する放置形式内容、調理者の調理作業によって完成される調理者担当内容、及び、調理器が設定運転条件に基づいて自動調理運転を行う調理器担当内容がある。
【０００６】
特許文献１には、調理者担当内容の一例として、食材としての材料Ａを３分の作業時間でみじん切りにする調理作業や、食材としての材料Ｂを４分の作業時間で短冊状にする調理作業等が記載され、放置形式内容の一例として、食材をみりんに浸漬させた状態で１０分の間放置する調理が記載され、調理器担当内容の一例として、食材をコンベクションスチーマにセットして３０分の間加熱する調理が記載されている。
【０００７】
そして、特許文献１においては、複数の献立夫々についてのバー状の表示部が、目標完成時刻を基準にして、互いに平行する姿勢で並べる形態で、調理作業スケジュールとして表示されるので、この調理作業スケジュールに従って、複数の献立夫々についての複数段階の調理内容に対する調理作業を順次実行することによって、複数の献立に対応する料理を目標完成時刻に作成できることなる。
【０００８】
ちなみに、特許文献１においては、調理器として、上述したコンベクションスチーマの他、ガスコンロ、電磁調理器、電子レンジ、ミキサー等、複数の調理器を使用することが記載されている。
また、選択された複数の献立夫々についての調理手順を、目標完成時刻を基準に並べた場合に、複数の献立夫々についての複数段階の調理内容のうちで同じ調理器を使用する調理内容が、時間的に重複するときには、その時間的な重複を回避するために、複数の献立のうちのいずれかの調理手順を、時間的に前方側にずらすことが記載されている。
【先行技術文献】
【特許文献】
【０００９】
【特許文献１】特開２０１１−２０３９５０号公報
【発明の概要】
【発明が解決しようとする課題】
【００１０】
従来の調理支援装置は、選択された複数の献立についての調理作業スケジュールを表示するものであるから、表示された調理作業スケジュールに従って、複数の献立夫々についての複数段階の調理内容に対する調理作業を正確に行えば、複数の献立に対応する料理を目標完成時刻に作成できることなるが、一般家庭の主婦等、一般家庭等の調理者にとっては、調理作業スケジュールに従って調理作業を正確に行うことは難しいものであり、一般家庭等の調理者にとっては、調理作業スケジュールは必ずしも必要ではなく、むしろ活用し難いものである。
【００１１】
つまり、調理作業に対する習熟度は調理者ごとに異なるものであるから、例えば、調理者担当内容の調理内容を行うのに必要となる作業時間が設定されていても、その調理内容に対する調理作業を作業時間通りに行えない等、調理者ごとの調理作業の習熟度の差異により、調理作業スケジュールに従って調理作業を正確に行うことは難しいものとなる。
【００１２】
また、一般家庭等においては、調理作業スケジュールに従って調理作業を行っている途中において、外部から電話の応答や突然の訪問客の応答等のために、調理作業を一時中断しなければならないことが多く、このことによっても、調理作業スケジュールに従って調理作業を正確に行うことは難しいものとなる。
このように、一般家庭等の調理者にとっては、調理作業スケジュールは必ずしも必要ではなく、むしろ活用し難いものとなる不都合がある。
【００１３】
しかも、調理作業スケジュールを作成するには、調理者担当内容の調理内容を行うのに必要となる作業時間を含めて、各調理内容を行うのに必要とする時間を細かく正確に設定する必要があるが、多数の献立夫々における複数段階の調理内容について、その調理を行うに必要とする時間を細かく設定することは手間の掛かる作業となるものある。
【００１４】
このように、従来の調理支援装置は、幼稚園や老人福祉施設などにおいて、複数の作業者が手分けして、大量の料理を作成する場合には活用できるものの、一般家庭等においては、調理作業スケジュールに従って調理作業を正確に行うことが難しいことに起因して、活用し難いものとなる不都合があり、しかも、多数の献立夫々における複数段階の調理内容についての時間設定作業が手間の掛かる作業となることに起因して、製作が煩雑となる不都合があり、改善が望まれるものであった。
【００１５】
本発明は、上記実状に鑑みて為されたものであって、その目的は、製作の容易化を図りながらも、一般家庭等において有効に活用できる調理支援装置を提供する点にある。
【課題を解決するための手段】
【００１６】
本発明の調理支援装置は、調理器を用いて作成する複数の献立及びそれら献立を作成するための複数段階の調理内容を示す調理手順を記憶する献立情報記憶部と、
調理者が情報を入力する入力部と、
調理者に報知する報知情報を表示する表示手段と、
前記入力部に入力された献立選択情報及び前記献立情報記憶部に記憶された記憶情報に基づいて、複数の献立のうちの選択された献立についての前記調理手順に関連する調理関連情報を作成して、その調理関連情報を前記報知情報として前記表示手段に表示する調理支援用制御手段とを備えたものであって、その第１特徴構成は、
前記献立情報記憶手段が、複数の献立夫々の複数段階の前記調理内容について、調理者が所定の調理作業を行ったのちは設定放置時間が経過するまで放置する放置形式内容、調理者の調理作業によって完成される調理者担当内容、及び、前記調理器が設定運転条件に基づいて自動調理運転を行う調理器担当内容のいずれであるかを区別する状態で記憶するように構成され、
前記調理支援用制御手段が、
複数の献立のうちから複数の献立が選択されたときには、選択された複数の献立の夫々について、複数段階の前記調理内容のうちの未処理の調理内容のうちで最初に行うことになる実行予定調理内容を、前記献立情報記憶手段の記憶情報及び調理進行情報に基づいて管理して、
選択された複数の献立の夫々についての前記実行予定調理内容が複数段階の前記調理内容のうちのいずれの段階であるかを示す予定調理内容段階情報、及び、選択された複数の献立の夫々についての前記実行予定調理内容が、前記調理者担当内容、前記放置形式内容及び前記調理器担当内容のいずれであるかを示す予定調理内容区別情報を含む調理進行判別情報を、前記調理関連情報として作成するように構成されている点を特徴とする。
【００１７】
すなわち、複数の献立のうちから複数の献立が選択されたときには、調理支援用制御手段は、選択された複数の献立の夫々について、複数段階の調理内容のうちの未処理の調理内容のうちで最初に行うことになる実行予定調理内容を、献立情報記憶手段の記憶情報及び調理進行情報に基づいて管理することになる。
【００１８】
そして、献立情報記憶手段には、複数の献立夫々の複数段階の前記調理内容について、調理者が所定の調理作業を行ったのちは設定放置時間が経過するまで放置する放置形式内容、調理者の調理作業によって完成される調理者担当内容、及び、調理器が設定運転条件に基づいて自動調理運転を行う調理器担当内容のいずれであるかを区別する状態で記憶されているから、調理支援用制御手段は、選択された複数の献立の夫々について管理している実行予定調理内容、及び、献立情報記憶手段の記憶情報に基づいて、調理進行判別情報を作成して、この調理進行判別情報を、表示手段に表示することになる。
【００１９】
調理進行判別情報は、選択された複数の献立の夫々についての実行予定調理内容が複数段階の調理内容のうちのいずれの段階であるかを示す予定調理内容段階情報、及び、選択された複数の献立の夫々についての実行予定調理内容が、調理者担当内容、放置形式内容及び調理器担当内容のいずれであるかを示す予定調理内容区別情報を含むものであるから、調理者は、表示手段に表示された調理進行判別情報によって、複数の献立についての調理作業を並行して進める上で好適な調理内容を順次選択しながら、その調理内容に対する調理作業を行うことによって、複数の献立夫々に対する調理の終了時点が大きく異なること抑制しながら、複数の献立に対する調理作業を良好に行うことができる。
【００２０】
説明を加えると、選択された複数の献立の調理作業を開始する際には、複数の献立の夫々についての実行予定調理内容が複数段階の調理内容のうちの最初の段階であることが、予定調理内容段階情報から認識できる。その状態において、予定調理内容区別情報に基づいて、複数の献立の夫々に対応する実行予定調理内容のうちで、いずれの実行予定調理内容を先にすべきかを選択して、その選択した実行予定調理内容に対する調理作業を優先的に行うことができる。
【００２１】
例えば、選択された複数の献立の調理作業を開始する際に、複数の献立の夫々に対応する実行予定調理内容のうちに、放置形式内容と調理者担当内容とが存在する場合には、放置形式内容を先に行い、その後で、調理者担当内容を行うようにすれば、設定放置時間の間に、調理者担当内容に対する調理作業を進めることができるため、結果的に、放置形式内容と調理者担当内容とを時間的に効率よく進めることができる点に鑑みて、放置形式内容に対する調理作業を先に行い、次に、調理者担当内容に対する調理作業を行う順序を定めて、複数の献立の夫々に対応する実行予定調理内容に対する調理作業を進めることになる。
【００２２】
ちなみに、複数の献立の夫々に対応する実行予定調理内容のうちに、放置形式内容と調理者担当内容とが存在する場合において、調理者担当内容を先に行い、その後で、放置形式内容を行うようにすると、放置形式内容に対する調理作業の終了時点が、調理者担当内容に対する調理作業を行う作業時間と設定放置時間とを加えた時点となるため、実行予定調理内容が放置形式内容である献立に対する調理の進行が遅れ気味となる不都合を招く虞があるが、放置形式内容の調理内容を調理者担当内容よりも先に行うことにより、放置形式内容と調理者担当内容とを時間的に効率よく進めることができるのである。
【００２３】
また、選択された複数の献立の夫々についての調理作業の途中段階においても、複数の献立の調理作業を開始する際と同様に、複数の献立の夫々に対応する実行予定調理内容のうちに、放置形式内容と調理者担当内容とが存在する場合には、放置形式内容を先に行い、その後で、調理者担当内容を行うように定めることになる。
【００２４】
また、選択された複数の献立の夫々についての調理作業の途中段階において、複数の献立の夫々に対応する実行予定調理内容のうちに、調理器担当内容と調理者担当内容とが存在する場合には、複数の献立の夫々に対応する実行予定調理内容のうちに、放置形式内容と調理者担当内容とが存在する場合と同様な理由により、調理器担当内容を先に行い、その後で、調理者担当内容を行うように選択することになる。
【００２５】
また、選択された複数の献立の夫々についての調理作業の途中段階において、複数の献立の夫々に対応する実行予定調理内容のうちに、調理器担当内容と放置形式内容とが存在する場合には、調理器担当内容と放置形式内容とによっては優先順序を選択できないものであるが、予定調理内容段階情報に基づいて、調理の進行が遅れている献立に対する実行予定調理内容を先に行うように定めることができる。
【００２６】
また、選択された複数の献立の夫々についての調理作業の途中段階において、複数の献立の夫々に対応する実行予定調理内容のうちに、調理器担当内容が複数含まれている場合、又は、放置形式内容が複数含まれている場合には、調理器担当内容と放置形式内容とが存在する場合と同様に、調理の進行が遅れている献立に対する実行予定調理内容を先に行うように定めることができる。
【００２７】
このように、調理者が、予定調理内容段階情報及び予定調理内容区別情報を含む調理進行判別情報を確認して、複数の献立についての調理作業を並行して進める上で好適な調理内容を順次定めるようにしながら、その調理内容に対する調理作業を行うことによって、複数の献立に対する調理の終了時点が大きく異なること抑制しながら、複数の献立に対する調理作業を良好に行うことができるのである。
【００２８】
そして、予定調理内容段階情報及び予定調理内容区別情報を含む調理進行判別情報によって、複数の献立についての調理作業を並行して進める上で好適な調理内容を順次定めて行う調理作業は、調理者ごとの調理作業の習熟度の差異等によって、複数段階の調理内容に対する調理時間が変動することを許容し、また、調理作業を一時中断することを許容するものであるから、一般家庭等においても有効に活用できることになる。
【００２９】
説明を加えると、例えば、一般家庭等において夕食を作成する場合には、予定されている夕食の開始時刻の２時間前に調理作業を開始する等、一般には、調理作業を完了するのに必要とする調理時間を大まかに予測して、目標とする調理作業終了時刻から予測した調理時間前の時点から調理作業を開始することになるが、一般家庭等においては、夕食の開始時刻は、通常厳密ではなく、多少前後することが許容されるものであるから、複数の献立の夫々についての複数段階の調理内容に対する調理時間が変動することが許容され、また、調理作業を一時中断することが許容されるものである。
【００３０】
尚、夕食の開始時刻を厳守する必要がある場合には、調理作業を完了するのに必要とする調理時間を長めに予測して、調理作業を早めに開始すれば、夕食の開始時刻が遅れることを回避できることになる。
【００３１】
しかも、予定調理内容段階情報及び予定調理内容区別情報を含む調理進行判別情報を作成するあたり、調理者担当内容の調理内容を行うのに必要となる作業時間を含めて、各調理内容を行うのに必要とする時間を細かく正確に設定する必要がないため、製作が煩雑となることを回避できる。
【００３２】
要するに、本発明の第１特徴構成によれば、製作の容易化を図りながらも、一般家庭等において有効に活用できる調理支援装置を提供できる。
【００３３】
本発明の調理支援装置の第２特徴構成は、上記第１特徴構成に加えて、
携帯情報端末に、前記献立情報記憶部、前記入力手段、前記表示手段、及び、前記調理支援用制御手段が備えられている点を特徴とする。
【００３４】
すなわち、スマートフォン等の携帯情報端末に、献立情報記憶部、入力手段、表示手段、及び、調理支援用制御手段が備えられているから、スケジュール機能やインターネット検索機能等の情報携帯端末が本来的に備えている機能を利用するために使い慣れている携帯情報端末を活用しながら、調理進行判別情報を確認して、複数の献立に対する調理作業を良好に行うことができる。
【００３５】
ちなみに、携帯情報端末が電話機能や電子メール機能を備えている場合には、電話機能による通話や電子メール機能にて受信したメールの確認を行いながら、複数の献立に対する調理作業を行うことができることになり、利便性が向上する。
【００３６】
要するに、本発明の第２特徴構成によれば、上記第１特徴構成による作用効果に加えて、使い慣れている携帯情報端末を活用しながら、調理進行判別情報を確認して、複数の献立に対する調理作業を良好に行うことができる調理支援装置を提供できる。
【００３７】
本発明の調理支援装置の第３特徴構成は、上記第１又は第２特徴構成に加えて、
前記調理支援用制御手段が、
前記調理進行判別情報を前記表示手段に表示する献立表示状態において、複数の献立のうちの一つを指示する献立指示情報及び指示された献立における複数段階の前記調理内容のうちの一つを選択する段階選択情報が前記入力手段にて入力されることに基づいて、前記献立指示情報にて指示された献立における前記段階選択情報にて選択された段階の前記調理内容を示す調理内容情報を、前記調理関連情報として作成して、前記調理内容情報を前記表示手段に表示する調理内容表示状態に切換えるように構成され、かつ、
前記調理内容表示状態において、表示終了情報が前記入力手段にて入力されることに基づいて、前記献立表示状態に切換えるように構成されている点を特徴とする。
【００３８】
すなわち、調理進行判別情報を表示手段に表示する献立表示状態において、複数の献立のうちの一つを指示する献立指示情報及び指示された献立における複数段階の調理内容のうちの一つを選択する段階選択情報を、入力手段にて入力することにより、調理支援用制御手段が、献立指示情報にて指示された献立における段階選択情報にて選択された段階の前調理内容を示す調理内容情報を作成して、その調理内容情報を表示手段に表示する調理内容表示状態に切換えることになる。
【００３９】
ちなみに、調理内容を示す調理内容情報とは、説明文や説明画像にて調理内容を説明する情報であって、例えば、調理内容が放置式内容である場合においては、食材を浸漬液に漬けて、２０分放置して下さい等の説明文や、食材を浸漬液に漬けた状態の説明画像が表示される等、調理内容を分かり易く説明する情報である。
【００４０】
また、調理内容表示状態において、表示終了情報が入力手段にて入力されると、調理支援用制御手段が、調理内容表示状態から献立表示状態に切換えることになる。
【００４１】
したがって、調理者は、献立表示状態において、複数の献立の夫々に対応する実行予定調理内容のうちで、いずれのものを先にすべきかを選択した際に、選択した実行予定調理内容の具体的内容を、調理内容表示状態に切換えて確認して、実行予定調理内容の調理作業を行う等、献立表示状態と調理内容表示状態とに切換えながら、複数の献立の夫々に対応する実行予定調理内容を順次進める形態で、複数の献立に対する調理作業を良好に行うことができる。
【００４２】
尚、調理内容表示状態を備えない場合には、各献立についての複数段階の調理内容を示す調理手順が印刷された資料に基づいて、調理内容を確認することになるが、多数の献立の夫々についての調理手順が印刷された資料を準備することは面倒であるばかりでなく、その資料を保管しなければならない手間がある。
【００４３】
要するに、本発明の第３特徴構成によれば、複数の献立の夫々における複数段階の調理内容の具体的な内容を表示手段にて確認しながら、複数の献立の夫々に対応する実行予定調理内容を順次進める形態で、複数の献立に対する調理作業を良好に行うことができる調理支援装置を提供できる。
【００４４】
本発明の調理支援装置の第４特徴構成は、上記第３特徴構成に加えて、
前記調理支援用制御手段が、前記段階選択情報にて選択された段階の前記調理内容が前記調理者担当内容、前記放置形式内容及び前記調理器担当内容のいずれであるかを示す調理内容区別情報、及び、前記段階選択情報にて選択された段階の前記調理内容が複数段階の前記調理内容のうちのいずれの段階であるかを示す調理内容段階情報を、前記調理内容情報に含ませるように構成されている点を特徴とする。
【００４５】
すなわち、調理内容表示状態において、段階選択情報にて選択された段階の調理内容が調理者担当内容、放置形式内容及び調理器担当内容のいずれであるかを示す調理内容区別情報、及び、段階選択情報にて選択された段階の調理内容が複数段階の調理内容のうちのいずれの段階であるかを示す調理内容段階情報が、表示されるものとなる。
【００４６】
従って、調理者は、調理内容表示状態において表示されている調理内容情報が、複数段階の調理内容のうちで、確認しようとしている調理内容に対応する調理内容情報であることを、調理内容区別情報や調理内容段階情報に基づいて判別することができるものとなるから、複数段階の調理内容のうちで、確認しようとしている調理内容に対応する調理内容情報を間違いなく的確に確認することができる。
【００４７】
調理者は、上述の如く、複数段階の調理内容のうちで、確認しようとしている調理内容に対応する調理内容情報を間違いなく的確に確認することができるから、複数の献立夫々における実行予定調理内容に対する適正な調理内容情報に基づいて、複数の献立の夫々に対する調理作業を間違いなく適切に進めることができる。
【００４８】
要するに、本発明の第４特徴構成によれば、上記第３特徴構成による作用効果に加えて、複数の献立の夫々に対する調理作業を間違いなく適切に進めることができる調理支援装置を提供できる。
【００４９】
本発明の調理支援装置の第５特徴構成は、上記第１〜第４特徴構成のいずれかに加えて、
前記調理支援用制御手段が、
前記実行予定調理内容が前記放置形式内容である場合において、前記設定放置時間の計測を開始する計測開始情報が前記入力手段にて入力されると、その時点からの経過時間の計測を開始して、前記経過時間が前記設定放置時間に達すると、放置時間経過済情報を前記表示手段に表示させるように構成されている点を特徴とする。
【００５０】
すなわち、実行予定調理内容が前記放置形式内容である場合において、設定放置時間の計測を開始する計測開始情報が入力手段にて入力されると、調理支援用制御手段が、その時点からの経過時間の計測を開始する。
そして、経過時間が設定放置時間に達すると、調理支援用制御手段が、放置時間経過済情報を表示手段に表示させることになる。
【００５１】
従って、調理者は、表示手段にて放置時間経過済情報が表示されることによって、設定放置時間が経過したことを認識して、次の段階の調理内容に対する調理作業に適切に進めることができる。
【００５２】
つまり、放置時間経過済情報が表示されない場合には、調理者は、柱時計や腕時計等を用いて、放置時間の経過を管理する必要があるが、このような管理は面倒であるばかりでなく、放置時間が経過したことに気付かずに、次の段階の調理内容に対する調理作業を適切に進めることができない虞がある。
【００５３】
要するに、本発明の第５特徴構成によれば、上記第１〜第４特徴構成のいずれかによる作用効果に加えて、設定放置時間が経過したことを調理者に的確に認識させて、次の段階の調理内容に対する調理作業に適切に進めることができる調理支援装置を提供できる。
【００５４】
本発明の調理支援装置の第６特徴構成は、上記第１〜第５特徴構成のいずれかに加えて、
前記調理支援用制御手段と前記調理器とが通信自在に接続され、
前記調理器が、前記設定運転条件に基づいた前記自動調理運転を終了すると、自動運転終了情報を通信するように構成され、
前記調理支援用制御手段が、前記調理器からの前記自動運転終了情報を受信すると、前記調理器担当内容に対応する前記調理内容の調理が終了したことを示す調理器担当内容終了情報を前記表示手段に表示するように構成されている点を特徴とする。
【００５５】
すなわち、調理器が、設定運転条件に基づいた自動調理運転を終了すると、自動運転終了情報を通信することになる。
調理器からの自動運転終了情報を受信すると、調理支援用制御手段が、調理器担当内容に対応する調理内容の調理が終了したことを示す調理器担当内容終了情報を表示手段に表示することになる。
【００５６】
従って、調理者は、表示手段にて調理器担当内容終了情報が表示されることによって、調理器が担当する調理内容が終了したことを認識して、次の段階の調理内容に対する調理作業に適切に進めることができる。
【００５７】
つまり、調理器担当内容終了情報が表示されない場合には、調理者は、調理器の運転状況を監視しながら、調理器の自動調理運転が終了したか否かを認識する必要があるが、調理器の運転状況を監視する作業は面倒であるばかりでなく、調理器の自動調理運転が終了したことに気付かずに、次の段階の調理内容に対する調理作業を適切に進めることができない虞がある。
【００５８】
要するに、本発明の第６特徴構成によれば、上記第１〜第５特徴構成のいずれかによる作用効果に加えて、調理器の自動調理運転が終了したことを調理者に的確に認識させて、次の段階の調理内容に対する調理作業に適切に進めることができる調理支援装置を提供できる。
【００５９】
本発明の調理支援装置の第７特徴構成は、上記第６特徴構成に加えて、
前記調理支援用制御手段が、前記実行予定調理内容が前記調理器担当内容である場合において、前記設定運転条件の通信指令が前記入力手段にて入力されると、前記設定運転条件を前記調理器に通信するように構成されている点を特徴とする。
【００６０】
すなわち、実行予定調理内容が調理器担当内容である場合において、設定運転条件の通信指令が入力手段にて入力されると、調理支援用制御手段が、設定運転条件を調理器に通信することになる。
【００６１】
従って、調理者は、実行予定調理内容が調理器担当内容である場合において、設定運転条件の通信指令を入力手段にて入力するという簡単な操作にて、設定運転条件を調理器に適切に設定できることになる。
【００６２】
つまり、設定運転条件の通信指令を入力することにより、設定運転条件を調理器に設定できない場合には、調理者は、調理器に対する操作部を操作して、設定運転条件に対応する情報を設定することになるが、このような操作は面倒であるばかりでなく、設定ミスにより、調理器を適正な設定運転条件で運転できない虞がある。
【００６３】
要するに、本発明の第７特徴構成によれば、上記第６特徴構成による作用効果に加えて、設定運転条件を調理器に設定することを、簡単な操作にて適切に行うことができる調理支援装置を提供できる。
【００６４】
本発明の調理支援装置の第８特徴構成は、上記第６又は第７特徴構成に加えて、
前記調理器が、前記設定運転条件に基づいた前記自動調理運転の進み具合を示す運転進行情報を通信するように構成され、
前記調理支援用制御手段が、前記調理器からの前記運転進行情報に基づいて、前記調理器担当内容に対応する前記調理内容の調理進捗情報を前記表示手段に表示するように構成されている点を特徴とする。
【００６５】
すなわち、調理器が、設定運転条件に基づいた自動調理運転の進み具合を示す運転進行情報を通信することになる。
調理器からの運転進行情報に基づいて、調理支援用制御手段が、調理器担当内容に対応する調理内容の調理進捗情報を表示手段に表示することになる。
【００６６】
従って、調理者は、実行予定調理内容が調理器担当内容である場合において、表示される調理進捗情報を確認することによって、調理器の自動調理運転の進み具合を認識できるため、例えば、調理器の自動調理運転が終了段階であることを認識した場合には、次の段階の調理内容に対する準備を始める等、次の段階の調理内容に対する調理作業を適切に進め易いものとなる。
【００６７】
要するに、本発明の第８特徴構成によれば、上記第６又は第７特徴構成による作用効果に加えて、調理器の自動調理運転の進み具合を認識しながら、次の段階の調理内容に対する調理作業を適切に進め易いものとなる調理支援装置を提供できる。
【図面の簡単な説明】
【００６８】
【図１】調理システムの構成例を模式的に示す図
【図２】ガスコンロの斜視図
【図３】調理システムの機能構成例を模式的に示すブロック図
【図４】ガスコンロの加熱部の構成例を模式的に示す図
【図５】コンロ操作部の一例を示す図
【図６】コンロ操作部の一例を示す図
【図７】コンロ操作部の一例を示す図
【図８】コンロ操作部の操作手順を示す図
【図９】スマートフォンのハードウェア構成を模式的に示すブロック図
【図１０】調理支援装置の構成例を模式的に示すブロック図
【図１１】記憶情報の構成例を示す図
【図１２】献立の調理手順を説明する図
【図１３】献立の調理手順を説明する図
【図１４】複数の献立を並行して作成した結果を示す説明図
【図１５】複数の献立を並行して作成した結果を示す説明図
【図１６】調理支援のためにスマートフォンに表示される画面の説明図
【図１７】調理支援のためにスマートフォンに表示される画面の説明図
【図１８】調理支援のためにスマートフォンに表示される画面の説明図
【図１９】調理支援のためにスマートフォンに表示される画面の説明図
【図２０】調理支援のためにスマートフォンに表示される画面の説明図
【図２１】調理支援のためにスマートフォンに表示される画面の説明図
【図２２】調理支援のためにスマートフォンに表示される画面の説明図
【図２３】調理支援のためにスマートフォンに表示される画面の説明図
【図２４】調理支援のためにスマートフォンに表示される画面の説明図
【図２５】別の献立の調理手順を説明する図
【図２６】別の献立の調理手順を説明する図
【図２７】複数の別の献立を並行して作成した結果を示す説明図
【図２８】複数の別の献立を並行して作成した結果を示す説明図
【発明を実施するための形態】
【００６９】
以下、本発明の実施形態を図面に基づいて説明する。
〔加熱調理システムの概要〕
図１に示すように、調理器としてのガスコンロ１と携帯情報端末としてのスマートフォン５とを備える調理システムが構成されている。そして、調理支援装置が、スマートフォン５を用いて構成されることになるが、その詳細は後述する。
【００７０】
ガスコンロ１とスマートフォン５とは、ワイヤレス通信網Ｎを介して通信自在に接続されている。
ワイヤレス通信網Ｎによる通信形態としては、図１に符号“ＮＡ”で示すアドホック・モードやポイント・ツー・ポイント・モードなど、対応するガスコンロ１とスマートフォン５とが直接一対一で通信する形態を採ることができるが、その他の形態として、図１に符号“ＮＩ”で示すインフラストラクチャー・モードにて、ガスコンロ１とスマートフォン５とが通信を行う形態を採ることもできる。
【００７１】
インフラストラクチャー・モードとは、ガスコンロ１やスマートフォン５とは異なる別の機器が接続されるネットワークに、ガスコンロ１及びスマートフォン５を接続して、当該ネットワークを介して両者を通信する形態であり、当該ネットワークへは、アクセスポイントＡＰを介して接続されることになる。
【００７２】
インフラストラクチャー・モードのネットワークとしては、例えば調理者の家庭内に構築されるローカルネットワーク（構内ＬＡＮ）ＬＡＮや、グローバルなインターネットＩＮが存在する。
つまり、図１に示すように、構内用アクセスポイントＡ１を介して両者がローカルネットワークＬＡＮに接続される形態や、外部用アクセスポイントＡ２，Ａ３を介して両者がインターネットＩＮに接続される形態がある。
当然ながら、構内用アクセスポイントＡ１及び構内ＬＡＮを経由して、インターネットＩＮに両者が接続される形態であってもよい。
【００７３】
スマートフォン５とは、インターネットＩＮとの親和性が高く、パーソナルコンピュータの機能をベースとして作られた多機能携帯電話をいう。
尚、本実施形態では、携帯情報端末として、スマートフォン５を例示するが、携帯端末としては、データ通信機能付きの携帯電話（フィーチャーフォン）、データ通信機能付きの携帯型音楽プレーヤー、データ通信機能付きのカメラなどを適用することができる。
ちなみに、スマートフォン５とは、掌にすっぽり収まるような小型の機器に限定されるものではなく、画面サイズが７〜９インチ以上のタブレット型端末も含まれる。
【００７４】
また、調理器としては、ガスコンロ１に限定されるものではなく、電磁調理器、電子レンジ、スチームオーブン、ミキサー等の各種の調理器が適用できるものである。
ちなみに、本実施形態では、単一のガスコンロ１のみを用いる場合を例示するが、複数の調理器を用いてもよい。
【００７５】
〔ガスコンロの構成〕
本実施形態のガスコンロ１は、図２に示すように、システムキッチンのトッププレートに組み込まれるビルトイン式のガスコンロであり、図２に示すように、トッププレートの下方には、ガスコンロ１の本体部が収容され、トッププレートの上方には、ガスコンロ１の天板ＴＰが載置されている。
ガスコンロ１は、加熱部Ｓとして、左バーナーＢＬ、右バーナーＢＲ、後バーナーＢＢの３つのバーナーＢと、１つのグリルＧとを有して構成されている。
【００７６】
尚、以下の説明において、左バーナーＢＬを、左コンロと簡略的に記載し、同様に、右バーナーＢＲを、右コンロと簡略的に記載し、後バーナーＢＢを、後コンロと簡略的に記載する場合がある。
【００７７】
各バーナーＢは、図４に示すように、一次空気が混合された燃料ガスを炎口ｂ７から吐出させて二次空気にて完全燃焼させる、いわゆるブンゼン燃焼を行うように構成されている。
そして、各バーナーＢの夫々に対応して、天板ＴＰに載置される形態で五徳ｂ９が備えられ、五徳ｂ９に設置された鍋やフライパンなどの被加熱物Ｐを、バーナーＢにて加熱するように構成されている。
【００７８】
ちなみに、バーナーＢのバーナー本体ｂ６には、燃料ガスＦを供給する供給管ｂ８が接続され、供給管ｂ８からバーナー本体ｂ６に向けて燃料ガスＦを噴出するときに、一次空気がエジェクタ作用によりバーナー本体ｂ６に吸引され、燃料ガスＦと一次空気とが、バーナー本体ｂ６の内部にて混合されたのち、炎口ｂ７から吐出されるように構成されている。
【００７９】
供給管ｂ８には、燃料ガスＦの供給量を調整する調整弁ｂ１と、バーナーＢへの燃料ガスＦの供給を遮断する遮断弁ｂ２とが配置されている。
また、炎口ｂ７付近には、炎の有無を検出する着火検出用の火炎センサーｂ３と、燃料ガスＦを点火する点火栓ｂ４が配置されている。
さらに、五徳ｂ９に載置された被加熱物Ｐの底面に当接して、被加熱物Ｐの温度を検出する温度センサーｂ５が配置されている。
尚、調整弁ｂ１、遮断弁ｂ２、火炎センサーｂ３、点火栓ｂ４、温度センサーｂ５は、後述する調理器制御部１１に接続されている。
【００８０】
グリルＧは、図２に示すように、加熱対象物を収容して加熱する収容空間ｇ０に対して出退する引き出し式のグリル本体ｇ１を備えている。
グリル本体ｇ１は、加熱対象物が載置されるグリル焼き網ｇ３と、グリル焼き網ｇ３を支持する焼き網支持台ｇ４と、グリル焼き網ｇ３から滴る焼き汁等を受け止めるグリル受け皿ｇ５と、グリル本体ｇ１を収容空間ｇ０に収容した状態において収容空間ｇ０の前面を閉じるグリル扉ｇ６とを有する状態に構成されている。
尚、グリル扉ｇ６には、グリルＧの内部（閉空間となった収容空間ｇ０）をグリルＧの外部から視認するためのグリル扉ガラスｇ７が設けられている。
【００８１】
収容空間ｇ０には、グリル本体ｇ１を出退自在に支持するスライドレールｇ２が備えられ、グリル本体ｇ１が、このスライドレールｇ２によって収容空間ｇ０に対して引き出し式形態にて出退するように構成されている。
図示は省略するが、収容空間ｇ０には、グリル焼き網ｇ３に載置された加熱対象物を下方から加熱する左右一対の下バーナーと加熱対象物を上方から加熱する上バーナーとを備えたグリルバーナーが設けられており、このグリルバーナーによって、加熱対象物を加熱するように構成されている。
【００８２】
〔ガスコンロの制御構成〕
図３に示すように、ガスコンロ１には、マイクロコンピュータなどの論理演算プロセッサを備える調理器制御装置１０が設けられ、加熱部Ｓ（バーナーＢ及びグリルＧ）の運転を制御する調理器制御部１１が、調理器制御装置１０を構成するハードウェア及びプログラムなどのソフトウェアとの協働によって実現される機能部として構成されている。
また、調理器制御部１１と同様の機能部として、調理器側操作情報取得部１２、運転状態情報生成部１３、調理器側報知制御部１４、調理器側通信制御部１９等が構成されている。
【００８３】
調理器制御部１１は、加熱部Ｓに対する複数種の特定機能の夫々に対応する制御を行う機能部である。
ちなみに、特定機能とは、例えば、バーナーＢに対して装備する“湯沸し”、“炊飯”や、バーナーＢやグリルＧに対して装備する“タイマー運転”等であり、調理器制御部１１は、特定機能が設定されると、それに対応する自動調理運転を実行する。
【００８４】
調理器側操作情報取得部１２は、特定機能の選択情報及び特定機能における設定情報の少なくとも一方を含む操作情報を取得する機能部である。
ちなみに、特定機能の選択情報とは、例えば、バーナーＢに対して装備した“湯沸し”、“炊飯”、“タイマー運転”等を選択する情報であり、特定機能における設定情報とは、例えば、“タイマー運転”において、タイマー時間を設定する等の情報である。
【００８５】
運転状態情報生成部１３は、ガスコンロ１の運転状態を示す情報であって、選択情報、設定情報、特定機能の実行状態を示す実行状態情報の少なくとも１つを含む運転状態情報を生成する機能部である。
調理器側報知制御部１４は、特定機能の実行状態等を調理者に報知するための調理器側報知情報を生成して調理器側報知部４を介して調理者に報知する機能部である。
調理器側通信制御部１９は、スマートフォン５と通信するための機能部であって、送信部１７及び受信部１８を備えている。
【００８６】
バーナーＢ及びグリルＧに対する操作について説明を加えると、調理器側操作情報取得部１２は、図３及び図４に示すように、コンロ操作部３に対する調理者の操作を操作情報として取得する。
コンロ操作部３は、図２に示すように、ガスコンロ１の本体部の前面部に設けられるものであり、操作パネル３ｍと操作シート３ｓとを備えている。また、操作シート３ｓとして、バーナー操作シート３ｂとグリル操作シート３ｇとを備えている。
【００８７】
操作パネル３ｍには、図５に示すように、ガスコンロ１の主電源ボタン３１、３つのバーナーＢの夫々に対応する３つのバーナー用ダイヤルスイッチ３２、ガスコンロ１の操作を制限するロック機能ボタン３９が備えられている。
尚、操作パネル３ｍは、例えば、主電源ボタン３１が、電源入り状態に押し操作されると点灯作動する電源インジケータ３６として構成される等により、調理器側報知部４としても機能することになる。
【００８８】
図８に示すように、バーナー用ダイヤルスイッチ３２は、押し戻し式のスイッチとして構成されており、バーナーＢが消火状態のときには、操作パネル３ｍのパネル面とほぼ同一面まで押し込まれている。
押し込まれているバーナー用ダイヤルスイッチ３２を調理者が後方側に押し込むことにより、点火指令が指令されて、バーナーＢが燃焼状態となり、調理者が押し込みを解除すると、バーナー用ダイヤルスイッチ３２がパネル面よりも前方側に突出される。
【００８９】
そして、突出したバーナー用ダイヤルスイッチ３２を正逆に回転することにより、バーナーＢの火力を調整することができる。
また、バーナーＢを消火する場合には、調理者が、突出しているバーナー用ダイヤルスイッチ３２を操作パネル３ｍのパネル面とほぼ同一面まで押し込むと、消火指令が指令されて、バーナーＢが消火状態となる。
【００９０】
尚、バーナー用ダイヤルスイッチ３２には、突出状態において点灯しかつ押し込み状態において消灯する点灯器が装備されて、この点灯器によって、バーナー用ダイヤルスイッチ３２の前部の周部が明るい状態と暗くなる状態に切換えられるように構成されている。
つまり、バーナー用ダイヤルスイッチ３２は、バーナーインジケータ３７としても機能するように構成されている。
【００９１】
各バーナーＢは、“湯沸し”、“炊飯”、“タイマー運転”等の特定機能に応じて、調理器制御部１１によって火力や加熱時間を自動調整できるように構成されている。
特定機能を調理者が選択できるようにするために、図２に示すように、バーナー操作シート３ｂが、操作パネル３ｍの下方に備えられている。
ちなみに、操作シート３ｓ（バーナー操作シート３ｂ、グリル操作シート３ｇ）は、ガスコンロ１の本体部に対して出退自在に構成されて、シート面が上向きとなる状態で突出する操作用状態（図２参照）と、ガスコンロ１の本体部に収納された収納状態とに切換えられるように構成されている。尚、操作シート３ｓを出退させる構成は周知であるので、本実施形態では操作シート３ｓの出退構成の説明を省略する。
【００９２】
図６に示すように、バーナー操作シート３ｂには、各バーナーＢに割り当て可能な特定機能に対応したキーが、バーナーＢごとに区分されて設けられている。
本実施形態では、左バーナーＢＬ及び右バーナーＢＲの夫々の特定機能として、“湯沸し”及び“あぶり高温炒め”が割り当てられ、これらに対応した湯沸しキーｋ１及びあぶり高温炒めキーｋ３が、バーナー操作シート３ｂに設けられている。
後バーナーＢＢには、特定機能として、“湯沸し”に代えて“炊飯”が割り当てられ、これに対応した炊飯キーｋ２が、バーナー操作シート３ｂに設けられている。
尚、“あぶり高温炒め”とは、直火料理や、鍋を頻繁に上げるような動作を行う炒め料理などを行う際の動作モードであり、他のモードよりも高い温度まで調理が可能な動作モードである。
【００９３】
また、３つのバーナーＢには、共通した特定機能として、“タイマー運転”が割り当てられている。タイマー運転は、設定された加熱用の設定時間の間、バーナーＢを燃焼状態とし、設定時間が経過するとバーナーＢを消火する機能である。設定時間を設定するために、プラスキーとマイナスキーとの一対のタイマー設定キーｋ５が、バーナー操作シート３ｂに設けられている。
【００９４】
さらに、左バーナーＢＬ及び右バーナーＢＲには、特定機能として、温度センサーｂ５にて検出される被加熱物Ｐの温度を設定温度に保持する“温度保持運転”が割り当てられており、この機能に対応する温度設定キーｋ４が、バーナー操作シート３ｂに設けられている。
温度設定キーｋ４を押し操作して“温度保持運転”を設定すると、例えば１４０［℃］等の初期値が設定温度として設定される。そして、設定温度を変更するときには、温度設定キーｋ４を操作するごとに、例えば１４０［℃］から２００［℃］の範囲で１０［℃］間隔で設定温度が上昇し、最高温度までいくと最低温度に戻って巡回するように構成されている。
尚、設定された特定機能などの設定パラメータは、バーナー操作シート３ｂに設けた取り消しキーｋ９によって取り消すことができる。
【００９５】
次に、グリルＧの操作について説明を加えると、調理器側操作情報取得部１２は、図７に示すグリル操作シート３ｇに対する調理者の操作を操作情報として取得する。
グリルＧは、調理者が火力を設定して調理を行うマニュアルモードに加えて、特定機能として、自動的に調理を行う“オートモード”を備えている。
すなわち、調理者は、グリル操作シート３ｇの操作により、マニュアルモードにて加熱調理を行うことに加えて、グリルＧに対する特定機能を設定して、加熱調理を行うことができる。
【００９６】
“オートモード”においては、“あたため”、“魚焼き”、“焼き加減設定”、“アラカルト調理”の４つの機能を個別又は重複して利用可能に構成されており、それぞれの機能に対応して、あたためキーｊ１、魚キーｊ２、焼き加減キーｊ３、アラカルトキーｊ４が、グリル操作シート３ｇに設けられている。
あたため機能は、加熱対象物を自動的に温める機能であり、魚焼き機能は、加熱対象物としての魚を自動的に焼く機能である。焼き加減設定機能は、あたため機能や魚焼き機能を利用する際の火力調整を、加熱対象物の種類（揚げ物・焼き物など）や、加熱対象物が魚であるときにその状態（切り身・姿焼き・干物など）を設定する機能である。
【００９７】
アラカルト調理機能は、焼きいも、焼き鳥、ピザなど料理の種別を設定することによって自動的に調理を行う機能である。
また、グリル操作シート３ｇには、設定変更キーｊ８や、取り消しキーｊ９が備えられていて、一旦設定した内容（設定パラメータ）を、設定変更キーｊ８で変更することや、取り消しキーｊ９で取り消すことができるようになっている。
【００９８】
ちなみに、グリルＧには、バーナーＢのように点火や消火を行うバーナー用ダイヤルスイッチ３２が設けられていないので、グリル操作シート３ｇに点火／消火キーｊ０が設けられている。
つまり、グリルバーナーの消火状態において、点火／消火キーｊ０を押し操作すると、点火指令が指令されて、グリルバーナーが燃焼状態となり、グリルバーナーの燃焼状態において、点火／消火キーｊ０を押し操作すると、消火指令が指令されて、グリルバーナーが消火状態となる。
【００９９】
また、グリル操作シート３ｇには、火力切換キーｊ５が装備されて、グリルバーナーに備えさせた下バーナーと上バーナーとの火力を変更できるようになっている。
すなわち、調理者が火力切換キーｊ５を操作するごとに、グリルバーナーに備えさせた下バーナーと上バーナーとの火力を、例えば、“上火強・下火強”、“上火強・下火弱”、“上火弱・下火強”、“上火弱・下火弱”というように、４段階に調節できるように構成されている。
ちなみに、グリルバーナーの下バーナーと上バーナーとの火力変更は、特定機能を実行する際に、調理器制御部１１にても行われることになる。
【０１００】
さらに、グリルＧには、特定機能として、“タイマー運転”、“ダッチオーブン”が備えられ、グリル操作シート３ｇには、タイマー設定キーｋ５及びダッチオーブンキーｊ６が設けられている。
“タイマー運転”は、バーナーＢに装備した“タイマー運転”と同様であるので説明を省略する。
“ダッチオーブン”は、ダッチオーブンを収容空間ｇ０に収容して調理を行う機能であり、本実施形態では詳細な説明を省略する。
【０１０１】
以上の通り、調理器側操作情報取得部１２は、コンロ操作部３に対する調理者の操作を操作情報として取得することになり、調理器制御部１１は、調理器側操作情報取得部１２を介して、操作情報を受け取り、この操作情報に基づいて、加熱部Ｓの特定機能を実現させる等のために、加熱部Ｓ（バーナーＢ及びグリルＧ）の作動を制御することになる。
【０１０２】
調理者によるコンロ操作部３への操作内容は、調理器側報知部４として、天板ＴＰに設けられた天面表示部４０に表示される（図２参照）。
すなわち、調理器制御部１１は、調理器側操作情報取得部１２を介して受け取った操作情報を、運転状態情報生成部１３に伝達する。運転状態情報生成部１３は、操作情報を含む運転状態情報を調理器側報知制御部１４に伝達する。調理器側報知制御部１４は、運転状態情報に基づいて調理器側報知情報を生成して、天面表示部４０に出力する。
【０１０３】
上述したように、操作パネル３ｍには、ガスコンロ１の操作を制限するロック機能ボタン３９が設けられている。調理者が、このロック機能ボタン３９を所定時間（例えば３秒間）押し続けると、操作ロック機能が有効となり、ガスコンロ１の操作が制限される。
操作パネル３ｍには、操作ロック機能が有効であることを示すロック機能インジケータ３８が備えられている。
【０１０４】
尚、上述の如く、操作パネル３ｍは、調理器側報知部４に相当することになるが、この操作パネル３ｍに備えらえる電源インジケータ３６、バーナーインジケータ３７、ロック機能インジケータ３８等のインジケータ４９は、それ自体が調理器側報知部４に相当することになる。
【０１０５】
〔スマートフォンの構成〕
スマートフォン５は、図３に示すように、ワイヤレス通信網Ｎを介してガスコンロ１と通信する端末側通信制御部５９と、文字情報及びグラフィック情報を表示可能であると共に調理者による操作入力を受け付け可能な表示操作部５２と、ガスコンロ１を利用する調理者とガスコンロ１とのヒューマン・マシン・インターフェース機能に対する制御を行うＨＭＩ制御部５１と、カメラ５３とを備えて構成されている。
端末側通信制御部５９は、送信部５７及び受信部５８を備えている。
【０１０６】
図９は、スマートフォン５のハードウェア構成を模式的に示すブロック図である。スマートフォン５の大部分のハードウェアは、メインボード５０（マザーボード）と称される基板上に搭載される。アンテナ５６やカメラ５３、マイク５５ｍなどの主要な周辺デバイスも当該メインボード５０に接続される。スマートフォン５は、通常、固定的な電力線に接続されることなく使用されるので、リチウムイオン電池などの二次電池５５ｂを備えており、メインボード５０には、二次電池５５ｂを介して各部に電力を供給する電源モジュール５０ｐも搭載されている。
【０１０７】
メインボード５０には、スマートフォン５の中核となるメインプロセッサーＭＰ、メインプロセッサーＭＰにおいて実行されるプログラム（ソフトウェア）が記憶されたフラッシュメモリー５０ｆ、プラグラム実行中の一時ファイルを記憶するメインメモリー５０ｍが搭載されている。メインメモリー５０ｍは揮発性メモリーでよく、例えばＤＲＡＭが用いられる。また、本実施形態では、スマートフォン５に対してメモリーカード５５ｃも着脱可能に構成されている。
【０１０８】
メインプロセッサーＭＰは、メモリーカード５５ｃに格納された情報を利用できるものである。メモリーカード５５ｃに格納される情報としては、画像や音声を含む各種データや、後述する調理支援用アプリケーションプログラム等のアプリケーションプログラム等がある。
ＨＭＩ制御部５１、端末側通信制御部５９は、これらメインプロセッサーＭＰや、フラッシュメモリー５０ｆ、メインメモリー５０ｍ等のハードウェアと、プログラム（ソフトウェア）との協働によって実現される機能部である。
【０１０９】
スマートフォン５には、複数の方式に対応したワイヤレス通信モジュール５０ｔが搭載されている。本実施形態では、ワイヤレス通信モジュール５０ｔとして、携帯電話回線網との通信を制御するベースバンドプロセッサ５９ｂと、無線ＬＡＮによる通信を制御する無線ＬＡＮモジュール５９ｒとがメインボード５０に搭載されている。
ワイヤレス通信モジュール５０ｔは、メインプロセッサーＭＰと共に、スマートフォン５の端末側通信制御部５９として機能する。
尚、アンテナ５６として、ベースバンドプロセッサ５９ｂに対応するベースバンド用アンテナ５６ｂ、及び、無線ＬＡＮモジュール５９ｒに対応する無線ＬＡＮ用アンテナ５６ｒが設けられている。
【０１１０】
また、スマートフォン５には、通話の際に利用されるマイク５５ｍとスピーカー５５ｓも備えられている。
メインボード５０には、ボイスモジュール５０ｖやオーディオモジュール５０ａが搭載されている。マイク５５ｍはボイスモジュール５０ｖを介してメインプロセッサーＭＰに接続されている。また、スピーカー５５ｓは、オーディオモジュール５０ａ及びボイスモジュール５０ｖを介してメインプロセッサーＭＰと接続されている。
【０１１１】
スマートフォン５の表示操作部５２は、端末側表示部として機能するディスプレイパネル５２ｄと、端末側操作部として機能するタッチパネル５２ｔとにより構成されている。
すなわち、本実施形態では、表示操作部５２は、ディスプレイパネル５２ｄとタッチパネル５２ｔとが一体化されたタッチディスプレイパネルとして構成されている。
また、スマートフォン５には、上述の如く、カメラ５３が搭載されている。カメラ５３により撮影された撮影画像は、メインプロセッサーＭＰを介して、あるいはＤＭＡ転送などによりメインボード５０上に設けられたデータバスを介して直接的に、メインメモリー５０ｍや、メモリーカード５５ｃ、フラッシュメモリー５０ｆ等に格納される。
【０１１２】
また、スマートフォン５には、ジャイロセンサー、加速度センサー、気圧センサー、温度センサー、方向センサー、重力センサーなどの各種センサーが搭載されている。本実施形態では、メインボード５０に加速度センサー５０ｓが搭載されている形態を例示している。加速度センサー５０ｓは、スマートフォン５の傾きや向きを検出する。つまり、加速度センサー５０ｓによってスマートフォン５の上下方向を検出して、メインプロセッサーＭＰは、その上下方向に応じてディスプレイパネル５２ｄへの表示方向を制御することができる。本実施形態では、加速度センサー５０ｓを利用する形態を例示したが、重力センサーやジャイロセンサーを用いることも可能である。当然ながら、複数のセンサーが搭載されていてもよい。
【０１１３】
〔調理支援装置〕
次に、調理支援用アプリケーションプログラムを起動させることにより、スマートフォン５にて構成される調理支援装置について説明する。
ちなみに、この調理支援装置においては、表示操作部５２のタッチパネル５２ｔが、調理者が情報を入力する入力部として機能し、ディスプレイパネル５２ｄが、調理者に報知する報知情報を表示する表示手段として機能することになるが、以下の説明においては、記載の簡略化のために、表示操作部５２が、調理者による情報の入力や報知情報の表示を行うものであるとして説明する。
尚、入力部としては、マイク５５ｍを用いることが可能であるが、本実施形態では、表示操作部５２のみが入力部として機能するものとして説明する。
【０１１４】
図１０は、調理支援用アプリケーションプログラムを起動させた状態におけるＨＭＩ制御部５１の構成を模式的に示している。
すなわち、調理支援用制御手段として機能するＨＭＩ制御部５１によって、調理支援装置を構成するための各種の機能部が構成されることになる。
【０１１５】
ＨＭＩ制御部５１は、ガスコンロ１から受信した情報を情報処理して表示操作部５２にて表示するための機能部として、運転状態情報取得部６１と端末側報知情報生成部６３とを備えている。情報処理された情報は、端末側報知制御部８５を介して表示操作部５２に伝達されるように構成されている。
ガスコンロ１から受信した情報に基づいて表示操作部５２に表示される情報は、本実施形態においては、ガスコンロ１が自動調理運転を終了したことを示す「調理器担当内容終了情報」であり、その詳細は後述する。
【０１１６】
また、ＨＭＩ制御部５１は、調理者により表示操作部５２から入力される情報を情報処理する端末側操作情報取得部７１と、調理支援用情報作成部７７とを備えている。
調理支援用情報作成部７７は、調理者により表示操作部５２から入力される献立選択情報及び献立情報記憶部８０に記憶された記憶情報に基づいて、複数の献立のうちの選択された献立についての調理手順に関連する調理関連情報を作成するように構成され、調理支援用情報作成部７７にて作成された調理関連情報が、端末側報知制御部８５を介して表示操作部５２に伝達されて、報知情報として表示されるように構成されている。
【０１１７】
献立情報記憶部８０は、調理器としてのガスコンロ１を用いて作成する複数の献立及びそれら献立を作成するための複数段階の調理内容を示す調理手順を記憶するように構成されている。尚、献立情報記憶部８０が記憶する献立の数は、例えば数百等の多数である。
献立情報記憶部８０は、固定的にスマートフォン５に備えられている必要はなく、適宜書き換えが可能なようにフラッシュメモリー５０ｆなどに構築されていると好適である。あるいは、インターネットＩＮに接続されたサーバーから必要に応じて情報を取得して、一時的にメインメモリー５０ｍなどの揮発性のメモリーに当該情報を格納するような形態であってもよい。
【０１１８】
調理支援用情報作成部７７にて作成される調理関連情報は、複数の献立の調理の進み具合を判別するための指標となる「調理進行判別情報」であり、その詳細は後述する。
また、調理支援用情報作成部７７は、「調理進行判別情報」に加えて、献立を作成するための複数段階の調理内容を示す「調理内容情報」、及び、「放置時間経過済情報」を作成するように構成されている。
「放置時間経過済情報」は、調理内容として、調理者が所定の調理作業を行ったのちは設定放置時間が経過するまで放置する調理内容についての作業を行うときに、設定放置時間が経過したことを示す情報である。
「調理内容情報」及び「放置時間経過済情報」の詳細については後述する。
【０１１９】
また、ガスコンロ１の運転状態情報を取得する運転状態情報取得部６１にて取得された運転状態情報が、調理支援用情報作成部７７に伝えられるように構成されている。
そして、調理支援用情報作成部７７が、運転状態情報取得部６１にて取得された運転状態情報、及び、調理者により表示操作部５２から入力される情報に基づいて、献立に対する調理の進行状態を示す「調理進行情報」を取得するように構成されており、その詳細は後述する。
【０１２０】
〔調理支援制御の詳細〕
本実施形態の調理支援装置は、複数の献立のうちから一つの献立が選択されたとき、及び、複数（多数）の献立のうちから複数の献立が選択されたときのいずれにおいても、献立の調理を支援するものであるが、先ず、複数の献立の調理を支援する場合を説明し、その後、一つの献立の調理を支援する場合について、複数の献立の調理を支援する場合と異なる点を簡単に説明する。
【０１２１】
献立情報記憶部８０が、複数の献立夫々の複数段階の調理内容について、調理者が所定の調理作業を行ったのちは設定放置時間が経過するまで放置する「放置形式内容」、調理者の調理作業によって完成される「調理者担当内容」、及び、調理器としてのガスコンロ１が設定運転条件に基づいて自動調理運転を行う「調理器担当内容」のいずれであるかを区別する状態で記憶するように構成されている。
【０１２２】
すなわち、図１１に示すように、複数の献立を種別するための献立情報ＤＡに対応させて、第１段階の調理内容に対応する調理内容情報Ｄ１、第２段階の調理内容に対応する調理内容情報Ｄ２が記憶されることになり、以下同様の形態で、最終段階の調理内容に対応する調理内容情報Ｄｅまで、複数段階の調理内容に対応する調理内容情報Ｄｘが順次記憶されることになる。
【０１２３】
そして、第１段階の調理内容情報Ｄ１に対応つけて、放置形式内容、調理者担当内容及び調理器担当内容を区別する内容区別情報Ｒ１が記憶され、第２段階の調理内容情報Ｄ２に対応つけて、放置形式内容、調理者担当内容及び調理器担当内容を区別する内容区別情報Ｒ２が記憶されることになり、以下同様の形態で、最終段階の調理内容情報Ｄｅまで、複数段階の調理内容情報Ｄｘに対応つけて、内容区別情報Ｒｘが記憶されることになる。
【０１２４】
図１２、図１３に基づいて、具体例を挙げて説明を加えると、献立が「鶏肉の梅酒煮」の場合においては、第１段階〜第６段階の調理内容があり、第２段階と第４段階とが、「調理器担当内容」であり、その他の段階が、「調理者担当内容」であり、それらの調理内容情報Ｄｘ及び内容区別情報Ｒｘが記憶されることになる。
尚、図１２、図１３においては、調理手順における複数段階の調理内容を、１〜８にて示す工程番号に対応付ける形態で記載する。
【０１２５】
献立が「あさりの白みそ仕立て」の場合においては、４段階の調理内容があり、第１段階が、「放置形式内容」であり、その他の段階が、「調理者担当内容」であり、それらの調理内容情報Ｄｘ及び内容区別情報Ｒｘが記憶されることになる。
献立が「焼きさば寿司」の場合においては、第１段階〜第８段階の調理内容があり、第１段階、第５段階及び第７段階が、「放置形式内容」であり、第２段階及び第６段階が、「調理器担当内容」であり、その他の段階が、「調理者担当内容」であり、それらの調理内容情報Ｄｘ及び内容区別情報Ｒｘが記憶されることになる。
【０１２６】
ちなみに、献立情報記憶部８０が記憶する複数段階の調理内容情報Ｄｘには、調理内容が「放置形式内容」である場合には、設定放置時間に対応する情報が含まれ、調理内容が「調理器担当内容」である場合には、ガスコンロ１を自動調理運転させるために設定することになる設定運転条件に対応する情報が含まれることになる。
【０１２７】
調理支援用情報作成部７７が、複数の献立のうちから複数の献立が選択されたときには、選択された複数の献立の夫々について、複数段階の調理内容のうちの未処理の調理内容のうちで最初に行うことになる実行予定調理内容を、献立情報記憶部８０の記憶情報及び調理進行情報に基づいて管理するように構成されている。
【０１２８】
図１０に示すように、調理支援用情報作成部７７は、「調理進行判別情報」を、調理関連情報として作成して、端末側報知制御部８５を用いて表示操作部５２に表示するように構成されている。
「調理進行判別情報」は、選択された複数の献立の夫々についての実行予定調理内容が複数段階の記調理内容のうちのいずれの段階であるかを示す予定調理内容段階情報、及び、選択された複数の献立の夫々についての前記実行予定調理内容が、調理者担当内容、放置形式内容及び調理器担当内容のいずれであるかを示す予定調理内容区別情報を含む形態で作成される。
【０１２９】
また、調理支援用情報作成部７７が、「調理進行判別情報」を表示操作部５２に表示する献立表示状態において、複数の献立のうちの一つを指示する献立指示情報及び指示された献立における複数段階の調理内容のうちの一つを選択する段階選択情報が、表示操作部５２にて入力されることに基づいて、献立指示情報にて指示された献立における段階選択情報にて選択された段階の調理内容を示す「調理内容情報」を、調理関連情報として作成して、「調理内容情報」を表示操作部５２に表示する調理内容表示状態に切換えるように構成されている。
そして、調理内容表示状態において、表示終了情報が表示操作部５２にて入力されることに基づいて、献立表示状態に切換えるように構成されている。
【０１３０】
また、調理支援用情報作成部７７が、「調理内容区別情報」、「調理内容段階情報」を、調理内容情報に含ませるように構成されている。
「調理内容区別情報」は、段階選択情報にて選択された段階の調理内容が調理者担当内容、放置形式内容及び調理器担当内容のいずれであるかを示す情報であり、「調理内容段階情報」は、段階選択情報にて選択された段階の調理内容が複数段階の調理内容のうちのいずれの段階であるかを示す情報である。
【０１３１】
また、調理支援用情報作成部７７が、実行予定調理内容が放置形式内容である場合において、設定放置時間の計測を開始する計測開始情報が表示操作部５２にて入力されると、その時点からの経過時間の計測を開始して、経過時間が設定放置時間に達すると、「放置時間経過済情報」を、端末側報知制御部８５を用いて表示操作部５２に表示させるように構成されている。
【０１３２】
さらに、調理支援用情報作成部７７が、実行予定調理内容が調理器担当内容や調理者担当内容である場合において、ガスコンロ１を自動調理運転する設定運転条件の通信指令が表示操作部５２にて入力されると、「設定運転条件」をガスコンロ１に通信するように構成されている。
ちなみに、「設定運転条件」とは、“炊飯”、“タイマー運転”、“温度保持運転”等の特定機能を選択する情報、及び、例えば、“タイマー運転”の場合の運転時間を定める情報等の設定情報を含むものであり、また、特定機能が、左バーナーＢＬ及び右バーナーＢＲのいずれでも行える場合には、バーナー選択情報をも含むことになる。
【０１３３】
ガスコンロ１の調理器制御装置１０が、設定運転条件に基づいた自動調理運転を終了すると、自動運転終了情報を通信するように構成され、運転状態情報取得部６１が、端末側通信制御部５９にて受信した「自動運転終了情報」を取得するように構成されている。
そして、自動調理運転終了情報を運転状態情報取得部６１が取得すると、端末側報知情報生成部６３が、調理器担当内容に対応する調理内容の調理が終了したことを示す「調理器担当内容終了情報」を作成して、端末側報知制御部８５を用いて表示操作部５２に表示するように構成されている。
【０１３４】
ちなみに、調理器制御装置１０が、調理者の指示により、設定運転条件に基づいた自動調理運転を終了すると、運転終了情報を通信するように構成され、運転状態情報取得部６１が、端末側通信制御部５９にて受信した「運転終了情報」を取得するように構成されている。
尚、端末側通信制御部５９が「運転終了情報」を取得した場合には、端末側報知情報生成部６３は、特別な表示を行うことはない。
【０１３５】
〔調理支援制御の具体内容〕
次に、複数（多数）の献立のうちから、「鶏肉の梅酒煮」、「あさりの白みそ仕立て」、及び、「焼きさば寿司」が選択された場合を挙げて、調理支援制御の具体内容を説明する。
尚、以下の説明においては、「情報が表示される」や「情報が入力される」等、簡略的に記載するが、「情報が表示される」とは、表示操作部５２に表示されることを意味し、「情報が入力される」とは、表示操作部５２にて情報が入力されることを意味するものであり、その他、「画面が表示される」や「情報が指示される」等の記載も同様である。
【０１３６】
調理支援用アプリケーションプログラムを起動させたのち、「レシピ検索」を指示すると、図１６（Ａ）に示すように、「和食」、「洋食」、「中華・エスニック」の３項目を示す献立検索画面が表示される。
調理者が、献立検索画面に表示された３項目のうちの一つ（この場合「和食」）を選択すると、例示はしないが、選択された項目についての多数の献立を示す一覧が表示されることになり、調理者が、表示された一覧のうちから一つ（この場合「鶏肉の梅酒煮」）を選択すると、図１６（Ｂ）に示すように、選択された献立を示す献立選択画面が表示されている。
【０１３７】
献立選択画面において、「レシピを見る」を指示すると、図１６（Ｃ）に示すように、「鶏肉の梅酒煮」のレシピ画面が表示されるので、この献立を今日の献立に追加する場合には、「献立に追加」を指示することになる。
その後、「レシピ検索」を指示すると、図１６（Ａ）に示す献立検索画面に戻るので、「鶏肉の梅酒煮」の選択手順と同様な手順によって、「あさりの白みそ仕立て」及び「焼きさば寿司」を今日の献立に追加することになる。
【０１３８】
献立検索画面、献立選択画面、及び、レシピ画面において、「今日の献立」を指示すると、図１６（Ｄ）に示すように、調理支援用の献立表示画面が表示される。
この献立表示画面には、図１７及び図１８に示すように、上述の如く選択された「鶏肉の梅酒煮」、「あさりの白みそ仕立て」及び「焼きさば寿司」の各献立の夫々に対応して、予定調理内容段階情報及び予定調理内容区別情報を含む「調理進行判別情報」を示す表示部Ｍが表示される。
【０１３９】
表示部Ｍは、図１７及び図１８に示すように、環状部分Ｍ１と、その環状部分Ｍ１の内部に表示される内方部分Ｍ２と、環状部分Ｍ１の外側に沿って移動する円弧状部分Ｍ３とを備えている。
環状部分Ｍ１は、上端を基準位置にした時計回りに沿って、各献立の調理手順における複数段階の調理内容に応じて複数の区分け部分Ｍａに区分けされている。
各区分け部分Ｍａは、対応する調理内容が「放置形式内容」、「調理者担当内容」及び「調理器担当内容」のいずれであるかによって色分けされている。
【０１４０】
そして、各区分け部分Ｍａの色分け表示が、対応する調理内容が処理済みである場合や複数段階の調理内容のうちの未処理の調理内容のうちで最初に行うことになる実行調理内容の場合には、複数段階の調理内容のうちの未処理の調理内容のうちで２番目以降に行うことになる調理内容の場合よりも、色合いを濃くする状態で行われるように構成されている。
【０１４１】
本実施形態においては、区分け部分Ｍａに対応する調理内容が「放置形式内容」である場合には、はっきりした黄色と薄い黄色と切換え、区分け部分Ｍａに対応する調理内容が「調理器担当内容」である場合には、はっきりした橙色と薄い橙色に切換え、区分け部分Ｍａに対応する調理内容が「調理者担当内容」である場合には、黒色と灰色とに切換えるように構成されている。
【０１４２】
内方部分Ｍ２は、各献立の調理手順における複数段階の調理内容についての段階数を示す数値を分母とし、上述の実行調理内容が調理手順における複数段階の調理内容のうちの最初から数えて何番目であるかを示す数値を分子として表示するように構成されている。
【０１４３】
円弧状部分Ｍ３は、環状部分Ｍ１における複数の区分け部分Ｍａのうちで、上述の実行予定調理内容に対応する区分け部分Ｍａの外周部に位置するように構成されている。
【０１４４】
したがって、調理者は、円弧状部分Ｍ３に対応する区分け部分Ｍａが、実行予定調理内容であることを判別することができ、しかも、区分け部分Ｍａの色合いによって、実行予定調理内容に対応する調理内容が、「放置形式内容」、「調理者担当内容」及び「調理器担当内容」のいずれかであるかを判別できる。
尚、色合いが濃い状態で表示されている区分け部分Ｍａのうちで、反時計回りで最も基準位置に位置するものが、実行予定調理内容であるから、このことによっても、実行予定調理内容を判別することが可能である。
【０１４５】
また、調理者は、内方部分Ｍ２の表示によって、実行予定調理内容が調理手順における複数段階の調理内容のうちの最初から数えて何番目であるかを判別することができる。
尚、図１７は、複数の献立の作成を開始する時点の献立表示画面を示し、図１８は、複数の献立の作成を開始したのち終了するまでの中間時点の献立表示画面を示す。
【０１４６】
ちなみに、本実施形態においては、調調理支援用の献立表示画面を表示させる状態が、調理進行判別情報を表示する献立表示状態に相当することになる。
そして、内方部分Ｍ２の表示が、予定調理内容段階情報を表示することに相当する。
また、円弧状部分Ｍ３を、環状部分Ｍ１における複数の区分け部分Ｍａのうちで、上述の実行予定調理内容に対応する区分け部分Ｍａの外周部に位置させるように表示し、かつ、区分け部分Ｍａを色分け表示することが、予定調理内容区別情報を表示することに相当することになる。
【０１４７】
尚、「今日の献立」を指示することによって表示された献立表示画面においては、各区分け部分Ｍａの色分け表示が薄い状態になっており、選択した複数の献立に対する調理を開始する際に、献立表示画面に表示されている「スタート」を押して、調理開始を入力することにより、区分け部分Ｍａを濃い色に表示することが開始される。
上記「スタート」は、図１７に示すように、献立表示画面における上部側の右側箇所に表示される。
【０１４８】
〔調理内容の確認の詳細〕
図１６（Ｄ）に示すように、献立表示画面が表示されている献立表示状態において、各献立夫々の「献立に対応する部分」をタッチ操作して、献立指示情報を入力することにより、図１６（Ｄ−１）に示すように、調理内容に対応する「調理内容情報」を調理内容表示画面にて表示する調理内容表示状態に切換るよう構成され、また、調理内容表示状態において、調理内容表示画面に表示されている「献立」に対応する部分をタッチ操作して、表示終了情報を入力することにより、献立表示画面を表示する献立表示状態に切換るように構成されている。
ちなみに、「献立」に対応する部分は、図１６（Ｄ−１）及びその図を拡大した図２４において、黒色で四角状に囲んだ部分であり、献立表示画面における上部側の左側箇所に表示される。
【０１４９】
すなわち、調理者は、献立表示画面にて表示させる調理進行判別情報に基づいて、複数の献立における複数段階の調理内容の進み具合を確認して、実行予定調理内容の調理作業を行うときには、その実行予定調理内容に対応する調理内容情報を表示する調理内容表示画面を表示させるようにする。
そして、その調理内容表示画面にて、実行予定調理内容に対応する調理内容に対する調理内容情報を確認し、加えて、実行予定調理内容が「放置形式内容」である場合には、設定放置時間の計測を開始する計測開始情報を入力し、また、実行予定調理内容が「調理器担当内容」である場合には、設定運転条件の通信指令を入力することになる。
【０１５０】
尚、調理内容に対する調理内容情報の確認は、基本的には、上述の如く、実行予定調理内容の調理作業を行うときに行われるものであるが、例えば、複数の献立の選択を終了したあとで、各献立の複数段階の調理内容がどのようなものであるかを事前に確認する場合等、諸々の時点で行うことができるものである。
【０１５１】
図１６（Ｄ）には、献立指示情報として、「あさりの白みそ仕立て」が入力された場合を例示しており、この入力により、図１６（Ｄ−１）に示す如く、「あさりの白みそ仕立て」を作成するための複数段階の調理内容のうち、最初の調理内容を示す調理内容表示画面が表示される。
【０１５２】
説明を加えると、図１９（Ａ）に示すように、献立表示画面が表示された献立表示状態において、献立指示情報として、「鶏肉の梅酒煮」を入力すると、図１９（Ｂ）に示すように、「鶏肉の梅酒煮」を作成する複数段階の調理内容のうち、最初の調理内容を示す調理内容表示画面が表示されることになる。
【０１５３】
最初の調理内容を示す調理内容表示画面の表示状態において、表示操作部５２のタッチパネル５２ｔをフリックして、段階選択情報を入力すると、「鶏肉の梅酒煮」を作成する複数段階の調理内容のうち、図１９（Ｃ）に示すように、最初の調理内容に続く２番目の調理内容表示画面が表示されることになる。
以下同様に、表示操作部５２のタッチパネル５２ｔをフリックして、段階選択情報を入力すると、図１９（Ｄ）及び図２０（Ｅ）〜（Ｇ）に示すように、「鶏肉の梅酒煮」を作成する複数段階の調理内容のうちの、３番目から６番目が表示されることになる。
【０１５４】
また、図１６（Ｄ）及び図２１（Ａ）に示すように、献立表示画面が表示された献立表示状態において、献立指示情報として、「あさりの白みそ仕立て」を入力すると、図１６（Ｄ−１）及び図２１（Ｂ）に示すように、「あさりの白みそ仕立て」を作成する複数段階の調理内容のうち、最初の調理内容を示す調理内容表示画面が表示されることになる。
【０１５５】
最初の調理内容を示す調理内容表示画面の表示状態において、表示操作部５２のタッチパネル５２ｔをフリックして、段階選択情報を入力すると、「あさりの白みそ仕立て」を作成する複数段階の調理内容のうち、図２１（Ｃ）に示すように、最初の調理内容に続く２番目の調理内容表示画面が表示されることになり、以下同様に、表示操作部５２のタッチパネル５２ｔをフリックして、段階選択情報を入力すると、図２１（Ｄ）（Ｅ）に示すように、「あさりの白みそ仕立て」を作成する複数段階の調理内容のうちの、３番目及び４番目（最後の段階）が表示されることになる。
【０１５６】
また、図２２（Ａ）に示すように、献立表示画面が表示された献立表示状態において、献立指示情報として、「焼きさば寿司」を入力すると、図２２（Ｂ）に示すように、「焼きさば寿司」を作成する複数段階の調理内容のうち、最初の調理内容を示す調理内容表示画面が表示されることになる。
【０１５７】
最初の調理内容を示す調理内容表示画面の表示状態において、表示操作部５２のタッチパネル５２ｔをフリックして、段階選択情報を入力すると、「焼きさば寿司」を作成する複数段階の調理内容のうち、図２２（Ｃ）に示すように、最初の調理内容に続く２番目の調理内容表示画面が表示されることになる。
以下同様に、表示操作部５２のタッチパネル５２ｔをフリックして、段階選択情報を入力すると、図２２（Ｄ）及び図２３（Ｅ）〜（Ｈ）に示すように、「焼きさば寿司」を作成する複数段階の調理内容のうちの、３番目から８番目（最後の段階）が表示されることになる。
尚、図２２（Ｄ）は、「焼きさば寿司」を作成する複数段階の調理内容のうちの、３番目と４番目を併せて表示するものである。
【０１５８】
〔調理内容段階情報及び調理内容段階情報の詳細〕
図１６（Ｄ−１）及びその図を拡大した図２４に示すように、調理内容表示画面の表示状態において、「調理内容区別情報」及び「調理内容段階情報」を示す段階表示部Ｈが表示されるように構成されている。
尚、「調理内容区別情報」は、上述の如く、段階選択情報にて選択された段階の調理内容が調理者担当内容、放置形式内容及び調理器担当内容のいずれであるかを示す情報であり、「調理内容段階情報」は、段階選択情報にて選択された段階の調理内容が複数段階の調理内容のうちのいずれの段階であるかを示す情報である。
【０１５９】
段階表示部Ｈは、図２４に示すように、調理内容表示画面の左端部において上下方向に伸びる形態で表示される棒状部分Ｈ１と、棒状部分Ｈ１の右側箇所において、棒状部分Ｈ１に沿って上下に移動する形態で表示される直線部分Ｈ２とを備えている。
【０１６０】
棒状部分Ｈ１が、上端から下方に向けて、各献立の調理手順における複数段階の調理内容に応じて複数の棒状区分部分Ｈａに区分けされ、そして、複数段階の調理内容の進行順に沿って上下に並ぶ各棒状区分部分Ｈａには、複数段階の調理内容のうちで最初から数えて何番目の調理内容であるかを示す数値Ｓが記載されている。
数値Ｓは、当然ながら整数であり、複数段階の調理内容のうちで最初の段階を「１」として、一段階進むごとに「１」が加算される。
【０１６１】
棒状部分Ｈ１の各棒状区分部分Ｈａは、対応する調理内容が「放置形式内容」、「調理者担当内容」及び「調理器担当内容」のいずれであるかによって色分けされている。ちなみに、この色分けは、表示部Ｍにおける区分け部分Ｍａの色分けと同じ色分けである。
そして、棒状区分部分Ｈａの色分け表示が、複数段階の調理内容のうちで、段階選択情報にて選択された段階及びその段階よりも最初の段階側の調理内容に対応する棒状区分部分Ｈａを、段階選択情報にて選択された段階よりも最後の段階側の調理内容に対応する棒状区分部分Ｈａよりも、色合いを濃くする状態で行われるように構成されている。
【０１６２】
すなわち、本実施形態においては、棒状区分部分Ｈａに対応する調理内容が「放置形式内容」である場合には、はっきりした黄色と薄い黄色とに切換え、棒状区分部分Ｈａに対応する調理内容が「調理器担当内容」である場合には、はっきりした橙色と薄い橙色とに切換え、棒状区分部分Ｈａに対応する調理内容が「調理者担当内容」である場合には、黒色と灰色とに切換えるように構成されている。
【０１６３】
直線部分Ｈ２は、例えば、図１９（Ｂ）〜（Ｄ）及び図２０（Ｅ）〜（Ｇ）に示すように、上下に並ぶ棒状区分部分Ｈａのうちの、段階選択情報にて選択された段階の調理内容に対応する棒状区分部分Ｈａの横脇に位置状態となるように、棒状部分Ｈ１に沿って上下に移動することになる。
【０１６４】
したがって、調理者（調理者）は、直線部分Ｈ２が位置する棒状区分部分Ｈａに記載された数値Ｓによって、段階選択情報にて選択された段階の調理内容が、複数段階の調理内容のうちの何番目の段階であることを判別できる。
また、直線部分Ｈ２が位置する棒状区分部分Ｈａにて表示される色合いによって、段階選択情報にて選択された段階の調理内容が、「放置形式内容」、「調理者担当内容」及び「調理器担当内容」のいずれであるかを判別できる。
【０１６５】
つまり、本実施形態においては、上下に並ぶ棒状区分部分Ｈａに表示された数値Ｓと上下に移動する直線部分Ｈ２とによって、「調理内容段階情報」が表示され、上下に並ぶ棒状区分部分Ｈａにて表示される色合いよって、「調理内容区別情報」が表示されることになる。
【０１６６】
〔放置形式内容の詳細〕
図２１（Ｂ）に示すように、調理内容が「放置形式内容」である場合の調理内容表示画面において、「６０分タイマー」を押して、設定放置時間（この場合は、６０分）の計測を開始する計測開始情報を入力すると、調理支援用情報作成部７７が、その時点からの経過時間の計測を開始することになる。
【０１６７】
そして、経過時間が設定放置時間（この場合は、６０分）に達すると、調理支援用情報作成部７７が、「放置時間経過済情報」を表示操作部５２に表示させることになる。
「放置時間経過済情報」の表示は、表示操作部５２に現在表示されている内容に代えて、割り込む形態で表示されることになる。そして、その表示状態を停止する形態は、設定時間が経過すると自動的に停止する形態や、調理者が停止指令を指示することにより停止する形態を採用できる。
【０１６８】
「放置時間経過済情報」の表示例としては、「時間が経過しました」や、「６０分が経過済」等、調理者が理解できる文章で記載することが好ましいものである。
そして、「放置時間経過済情報」を表示する際には、スピーカー５５ｓを用いて、音声案内を行うようにしてもよく、また、警報音を鳴らすようにしてもよい。
【０１６９】
図２２（Ｂ）及び図２３（Ｅ）（Ｇ）に示すように、献立が「焼きさば寿司」の場合において調理内容が「放置形式内容」であるときにも、図２１（Ｂ）に示した、献立が「あさりの白みそ仕立て」の場合と同様に行われることになり、重複する記載を省くために詳細な説明を省略する。
【０１７０】
〔設定運転条件の通信の詳細〕
図１９（Ｃ）に示すように、調理内容が「調理器担当内容」である場合の調理内容表示画面において、「水なし両面焼グリル」を押すと、図１９（Ｃ−１）の通信指令画面が表示される。
表示された通信指令画面において、「ＯＫ」を押して、設定運転条件の通信指令を入力すると、調理支援用情報作成部７７が、ガスコンロ１を自動調理運転するための設定運転条件をガスコンロ１に通信することになる。
【０１７１】
図１９（Ｃ）の調理内容は、グリルＧを用いて、グリルバーナーの下バーナーと上バーナーとの火力を、“上火強・下火強”にした状態で、設定時間（４分）の間加熱する内容であるので、それに対応する内容が設定運転条件として、ガスコンロ１に通信されることになる。
【０１７２】
そして、調理者が、グリル操作シート３ｇの点火／消火キーｊ０を操作して、グリルバーナーを点火させると、ガスコンロ１の調理器制御装置１０が、受信した設定運転条件に基づいて、グリルＧを自動調理運転することになる。
すなわち、グリルバーナーの下バーナーと上バーナーとの火力を、“上火強・下火強”にした状態で、“タイマー運転”により、グリルバーナーを設定時間（４分）の間燃焼させることになる。
【０１７３】
ちなみに、ガスコンロ１の調理器制御装置１０は、設定時間（４分）が経過すると、グリルバーナーの燃焼を停止させて、設定運転条件による自動調理運転を終了したことを示す自動運転終了情報を、スマートフォン５に通信することになる。
【０１７４】
また、図１９（Ｄ）に示すように、調理内容が「調理者担当内容」である場合の調理内容表示画面において、「温度キープ」を押すと、図１９（Ｄ−１）のコンロ選択画面が表示される。表示されたコンロ選択画面において、左コンロ（左バーナーＢＬ）と右コンロ（右バーナーＢＲ）とのうちのいずれかを選択すると、通信指令画面が表示される。
【０１７５】
尚、ガスコンロ１から、左コンロ（左バーナーＢＬ）及び右コンロ（右バーナーＢＲ）についての現在の使用状況が通信されるように構成して、左コンロ（左バーナーＢＬ）と右コンロ（右バーナーＢＲ）とのいずれかが使用状態である場合には、コンロ選択画面において、左コンロ（左バーナーＢＬ）と右コンロ（右バーナーＢＲ）とのうちの使用状態であるものについては、薄く表示させて、未使用状態のものが選択されるように構成してもよい。以下、コンロ選択画面においては、同様である。
【０１７６】
表示された通信指令画面において、「ＯＫ」を押して、設定運転条件の通信指令を入力すると、調理支援用情報作成部７７が、ガスコンロ１を自動調理運転するための設定運転条件をガスコンロ１に通信することになる。
【０１７７】
図１９（Ｄ）の調理内容は、左バーナーＢＬ又は右バーナーＢＲにより、フライパンを２００℃に加熱する状態を維持して、鶏肉をこんがりと焼く内容であるので、設定運転条件として、左バーナーＢＬと右バーナーＢＲとのうちの選択されたバーナーを示す情報、及び、“温度保持運転”を用いて設定温度（この場合、２００℃）に保持する情報が、ガスコンロ１に通信されることになる。
【０１７８】
そして、調理者が、左バーナーＢＬと右バーナーＢＲとのうちの選択されたバーナーに対するバーナー用ダイヤルスイッチ３２を操作して点火させると、ガスコンロ１の調理器制御装置１０が、受信した設定運転条件に基づいて、“温度保持運転”に対応する自動調理運転を実行することになる。
また、調理者が、左バーナーＢＬと右バーナーＢＲとのうちの選択されたバーナーに対するバーナー用ダイヤルスイッチ３２にて消火を指令すると、ガスコンロ１の調理器制御装置１０は、グリルバーナーの燃焼を停止させて、調理者の指令によって、設定運転条件による自動調理運転を終了したことを示す「運転終了情報」を、スマートフォン５に通信することになる。
【０１７９】
また、図２０（Ｅ）に示すように、調理内容が「調理器担当内容」である場合の調理内容表示画面において、「コンロ調理タイマー」を押すと、図２０（Ｅ−１）のコンロ選択画面が表示される。表示されたコンロ選択画面において、左コンロ（左バーナーＢＬ）と右コンロ（右バーナーＢＲ）とのうちのいずれかを選択すると、図２０（Ｅ−２）に示す通信指令画面が表示される。
表示された通信指令画面において、「ＯＫ」を押して、設定運転条件の通信指令を入力すると、調理支援用情報作成部７７が、ガスコンロ１を自動調理運転するための設定運転条件をガスコンロ１に通信することになる。
【０１８０】
図２０（Ｅ）の調理内容は、左バーナーＢＬ又は右バーナーＢＲにより、鍋を１５分の間加熱する内容であるので、設定運転条件として、左バーナーＢＬと右バーナーＢＲとのうちの選択されたバーナーを示す情報、及び、“タイマー運転”を用いて設定時間（この場合、１５分）の間加熱する情報が、ガスコンロ１に通信されることになる。
【０１８１】
そして、調理者が、左バーナーＢＬと右バーナーＢＲとのうちの選択されたバーナーに対するバーナー用ダイヤルスイッチ３２を操作して点火させると、ガスコンロ１の調理器制御装置１０が、受信した設定運転条件に基づいて、“タイマー運転”に対応する自動調理運転を実行することになる。
【０１８２】
ちなみに、ガスコンロ１の調理器制御装置１０は、設定時間（１５分）が経過すると、左バーナーＢＬと右バーナーＢＲとのうちの選択されたバーナーの燃焼を停止させて、設定運転条件による自動調理運転を終了したことを示す自動運転終了情報を、スマートフォン５に通信することになる。
【０１８３】
また、図２２（Ｃ）に示すように、調理内容が「調理器担当内容」である場合の調理内容表示画面において、「自動炊飯」を押すと、図２２（Ｃ−１）の通信指令画面が表示される。
表示された通信指令画面において、「ＯＫ」を押して、設定運転条件の通信指令を入力すると、調理支援用情報作成部７７が、ガスコンロ１を自動調理運転するための設定運転条件をガスコンロ１に通信することになる。
【０１８４】
図２２（Ｃ）の調理内容は、炊飯する内容であるので、設定運転条件として、特定機能としての“炊飯”を示す情報が、ガスコンロ１に通信されることになる。
【０１８５】
そして、調理者が、後バーナーＢＢに対するバーナー用ダイヤルスイッチ３２を操作して点火させると、ガスコンロ１の調理器制御装置１０が、受信した設定運転条件に基づいて、“炊飯”に対応する自動調理運転を実行することになる。
また、ガスコンロ１の調理器制御装置１０は、“炊飯”に対応する自動調理運転を終了すると、設定運転条件による自動調理運転を終了したことを示す自動運転終了情報を、スマートフォン５に通信することになる。
【０１８６】
また、図２３（Ｆ）に示すように、調理内容が「調理器担当内容」である場合の調理内容表示画面において、「魚オートグリル」を押すと、図２３（Ｆ−１）の通信指令画面が表示される。
表示された通信指令画面において、「ＯＫ」を押して、設定運転条件の通信指令を入力すると、調理支援用情報作成部７７が、ガスコンロ１を自動調理運転するための設定運転条件をガスコンロ１に通信することになる。
【０１８７】
図２３（Ｆ）の調理内容は、グリルＧの特定機能である“オートモード”を用いて、魚の切身を、標準の焼き加減で焼く内容であるので、それに対応する内容が設定運転条件として、ガスコンロ１に通信されることになる。
【０１８８】
そして、調理者が、グリル操作シート３ｇの点火／消火キーｊ０を操作して、グリルバーナーを点火させると、ガスコンロ１の調理器制御装置１０が、受信した設定運転条件に基づいて、グリルＧを自動調理運転することになる。
ちなみに、ガスコンロ１の調理器制御装置１０は、“オートモード”による自動調理運転を終了すると、設定運転条件による自動調理運転を終了したことを示す自動運転終了情報を、スマートフォン５に通信することになる。
【０１８９】
〔調理器担当内容終了情報の詳細〕
運転状態情報取得部６１が、設定運転条件による自動調理運転を終了したことを示す自動運転終了情報を受信すると、端末側報知情報生成部６３が、ガスコンロ１が自動調理運転を終了したことを示す「調理器担当内容終了情報」を作成して、表示操作部５２に表示させることになる。
【０１９０】
すなわち、グリルＧの特定機能である“タイマー運転”や“オートモード”に対応する自動調理運転、バーナーＢの特定機能である“タイマー運転”や “炊飯”に対応する自動調理運転等、それらの自動調理運転が終了したことを示す自動運転終了情報が、ガスコンロ１から通信されると、端末側報知情報生成部６３が、「調理器担当内容終了情報」を作成して、表示操作部５２に表示させることになる。
【０１９１】
「調理器担当内容終了情報」の表示は、表示操作部５２に現在表示されている内容に代えて、割り込む形態で表示されることになる。そして、その表示状態を停止する形態は、設定時間が経過すると自動的に停止する形態や、調理者が停止指令を指示することにより停止する形態を採用できる。
【０１９２】
「調理器担当内容終了情報」の表示例としては、例えば、タイマー運転”を用いた自動調理運転の場合には、「時間が経過しました」等、調理者が理解できる文章で記載することが好ましいものである。
同様に、“炊飯”に対応する自動調理運転の場合には、「炊飯が終了しました」、グリルＧの“オートモード”を用いた自動調理運転の場合には、「魚が焼けました」等、調理者が理解できる文章で記載することが好ましいものである。
そして、「調理器担当内容終了情報」を表示する際には、スピーカー５５ｓを用いて、音声案内を行うようにしてもよく、また、警報音を鳴らすようにしてもよい。
【０１９３】
〔調理進行情報の詳細〕
調理支援用情報作成部７７は、下記の種々の情報を、調理進行情報として取得することになる。
すなわち、上述した献立表示画面において「スタート」が入力されることにより、複数の献立に対する調理が開始されたことを判別することができる。
【０１９４】
調理内容が「放置形式内容」である場合の調理内容表示画面において、設定放置時間の計測を開始する計測開始情報の入力より、「放置形式内容」に対応する調理内容が開始されたことを判別できる。
設定放置時間が経過すると、「放置形式内容」に対応する調理内容が終了して、次の調理内容に進んだことを判別できる。
【０１９５】
調理内容が「調理器担当内容」である場合の調理内容表示画面において、設定運転条件の通信指令を入力により、「調理器担当内容」に対応する調理内容が開始されたことを判別できる。
また、自動調理運転が終了したことを示す「自動運転終了情報」を受信すると、「調理器担当内容」に対応する調理内容が終了して、次の調理内容に進んだことを判別できる。
【０１９６】
例えば、「鶏肉の梅酒煮」の献立を挙げて説明を加えると、図１９（Ａ）の献立表示画面において「スタート」が入力されることにより、複数の献立に対する調理が開始されたことを判別できるから、６段階からなる調理内容のうちの最初の調理内容が、実行予定調理内容であると判別できる。
そして、図１９（Ｃ−１）の通信指令画面において、設定運転条件の通信指令が入力されることにより、６段階からなる調理内容のうちの最初の調理内容が終了して、２番目の調理内容が実行予定調理内容であると判別でき、かつ、その２番目の調理内容が実行中であることを判別できる。
【０１９７】
また、２番目の調理内容の実行中であることを判別している状態において、自動調理運転が終了したことを示す「自動運転終了情報」を受信すると、２番目の調理内容が終了して、３番目の調理内容が実行予定調理内容であると判別できる。
そして、図１９（Ｄ−２）の通信指令画面において、設定運転条件の通信指令が入力されることにより、その３番目の調理内容が実行中であることを判別できる。
【０１９８】
また、３番目の調理内容の実行中であることを判別している状態において、上述の如く、調理者がバーナー用ダイヤルスイッチ３２にて消火を指令することにより、自動調理運転が終了したことを示す「運転終了情報」を受信すると、３番目の調理内容が終了して、４番目の調理内容が実行予定調理内容であると判別できる。
そして、図２０（Ｅ−２）の通信指令画面において、設定運転条件の通信指令が入力されることにより、その４番目の調理内容が実行中であることを判別できる。
【０１９９】
また、４番目の調理内容の実行中であることを判別している状態において、自動調理運転が終了したことを示す「自動運転終了情報」を受信すると、４番目の調理内容が終了して、５番目及び６番目の調理内容が実行予定調理内容であると判別できる。
【０２００】
したがって、調理支援用情報作成部７７は、上述の通り実行予定調理内容を判別して、表示部Ｍの表示作動、つまり、環状部分Ｍ１、内方部分Ｍ２、及び、円弧状部分Ｍ３の表示作動や、段階表示部Ｈの作動、つまり、棒状部分Ｈ１及び直線部分Ｈ２の表示作動を制御することになる。
ちなみに、実行予定調理内容が、実行中であるか、非実行中であるか否かを判別できる場合においては、環状部分Ｍ１における複数の区分け部分Ｍａのうちで、実行予定調理内容に対応する区分け部分Ｍａを、実行中においては点滅させ、非実行中においては単に点灯させる等により、実行中であるか、非実行中であるかを表示させるようにするとよい。
【０２０１】
尚、「鶏肉の梅酒煮」の献立の場合には、６段階からなる調理内容のうちの最初の調理内容が終了しても、２番目の調理内容が実行予定調理内容であることを示す状態に直ちに変わることはないが、最初の調理内容は、「調理者担当内容」であるから、調理者は、最初の調理内容に対する調理作業が済んだときに、次の実行予定調理内容が、２番目の調理内容であることを判断できるため、実用上は支障がないものである。このことは、他の献立においても同様である。
【０２０２】
以上の通り、本実施形態によれば、献立表示画面に表示されている表示部Ｍにより、選択された複数の献立の夫々についての実行予定調理内容が複数段階の調理内容のうちのいずれの段階であるか、及び、選択された複数の献立の夫々についての実行予定調理内容が、調理者担当内容、放置形式内容及び調理器担当内容のいずれであるかを認識しながら、調理者（調理者）は、複数の献立についての調理作業を並行して進める上で好適な調理内容を順次選択しながら、その調理内容に対する調理作業を行うことができる。
【０２０３】
また、調理内容表示画面によって複数段階の調理内容を確認できるため、各段階の調理内容を適切に行うことができ、しかも、ガスコンロ１の特定機能を用いた自動調理運転を設定して、ガスコンロ１の特定機能を用いながら調理を進めることができる。
その結果、複数の献立に対する調理の終了時点が大きく異なること抑制しながら、複数の献立に対する調理作業を良好に行うことができる。
【０２０４】
複数の献立についての調理作業を並行して進める上で好適な調理内容を選択することについて説明を加えると、例えば、選択された複数の献立の調理作業を開始する際に、複数の献立の夫々に対応する実行予定調理内容のうちに、放置形式内容と調理者担当内容とが存在する場合には、放置形式内容を先に行い、その後で、調理者担当内容を行うようにすれば、設定放置時間の間に、調理者担当内容に対する調理作業を進めることができるため、結果的に、放置形式内容と調理者担当内容とを時間的に効率よく進めることができる。
【０２０５】
また、選択された複数の献立の夫々についての調理作業の途中段階においても、複数の献立の調理作業を開始する際と同様に、複数の献立の夫々に対応する実行予定調理内容のうちに、放置形式内容と調理者担当内容とが存在する場合には、放置形式内容を先に行い、その後で、調理者担当内容を行うように選択することになる。
【０２０６】
また、選択された複数の献立の夫々についての調理作業の途中段階において、複数の献立の夫々に対応する実行予定調理内容のうちに、調理器担当内容と調理者担当内容とが存在する場合には、複数の献立の夫々に対応する実行予定調理内容のうちに、放置形式内容と調理者担当内容とが存在する場合と同様な理由により、調理器担当内容を先に行い、その後で、調理者担当内容を行うように選択することになる。
【０２０７】
また、選択された複数の献立の夫々についての調理作業の途中段階において、複数の献立の夫々に対応する実行予定調理内容のうちに、調理器担当内容と放置形式内容とが存在する場合には、調理器担当内容と放置形式内容とによっては優先順序を選択できないものであるが、予定調理内容段階情報に基づいて、調理の進行が遅れている献立に対する実行予定調理内容を先に行うように選択することができる。
【０２０８】
また、選択された複数の献立の夫々についての調理作業の途中段階において、複数の献立の夫々に対応する実行予定調理内容のうちに、調理器担当内容が複数含まれている場合、又は、放置形式内容が複数含まれている場合には、調理器担当内容と放置形式内容とが存在する場合と同様に、調理の進行が遅れている献立に対する実行予定調理内容を先に行うように選択することができる。
【０２０９】
このように、予定調理内容段階情報及び予定調理内容区別情報を含む調理進行判別情報によって、複数の献立についての調理作業を並行して進める上で好適な調理内容を順次選択しながら、その調理内容に対する調理作業を行うことによって、複数の献立に対する調理の終了時点が大きく異なること抑制しながら、複数の献立に対する調理作業を良好に行うことができるのである。
【０２１０】
図１４、図１５は、上述の実施形態で述べた如く、複数の献立として、「鶏肉の梅酒煮」、「あさりの白みそ仕立て」、及び、「焼きさば寿司」が選択された場合において、表示部Ｍの調理進行判別情報を用いて、それらの献立に対する調理作業を行った結果の一例を示すものであり、作業番号に対応して１〜７にて示されるように、複数の献立に対する調理作業が平行して進められることになる。
尚、調理開始から調理終了までに要する時間は、概ね１２０分である。
【０２１１】
この一例に示されるように、選択された複数の献立の夫々についての実行予定調理内容が複数段階の調理内容のうちのいずれの段階であるか、及び、選択された複数の献立の夫々についての実行予定調理内容が、調理者担当内容、放置形式内容及び調理器担当内容のいずれであるかを認識しながら、複数の献立の夫々における複数段階の調理内容に対する調理作業が進められる結果、複数の献立に対する調理の終了時点が大きく異なること抑制しながら、複数の献立に対する調理作業を良好に行うことができるのである。
【０２１２】
図２５、図２６は、複数の献立として、「春キャベツとトマトのスープ」、「ローストチキン」、「アジアンライス」についての複数段階の調理内容を示すものであり、これらの献立は洋食に分類される献立である。
そして、図２７、図２８は、上記の複数の献立を、本実施形態の調理支援装置を用いて、調理作業を行った結果の一例を示すものであり、作業番号に対応して１〜７にて示されるように、複数の献立に対する調理作業が平行して進められることになる。
【０２１３】
この一例においても、選択された複数の献立の夫々についての実行予定調理内容が複数段階の調理内容のうちのいずれの段階であるか、及び、選択された複数の献立の夫々についての実行予定調理内容が、調理者担当内容、放置形式内容及び調理器担当内容のいずれであるかを認識しながら、複数の献立の夫々における複数段階の調理内容に対する調理作業が進められる結果、複数の献立に対する調理の終了時点が大きく異なること抑制しながら、複数の献立に対する調理作業を良好に行うことができる。
【０２１４】
上述の如く、本実施形態の調理支援装置は、複数（多数）の献立のうちから複数の献立が選択されたときの調理を、適切に支援できるものであるが、複数の献立のうちから一つの献立が選択されたときにも、同様に、その一つの献立に対する調理を支援することができる。
すなわち、例えば、一つの献立として、「鶏肉の梅酒煮」を調理することを支援する場合には、「鶏肉の梅酒煮」を選択して、その「鶏肉の梅酒煮」が献立表示画面に表示された状態において、「スタート」を指令して調理を開始することになる。
【０２１５】
そして、複数段階の調理内容の確認や運転条件の通信指令等については、図１９（Ａ）〜（Ｇ）に示す手順にて、同様に行えることになる。
従って、一つの献立の調理を支援する場合においても、献立表示画面に表示されている表示部Ｍにより、選択した献立についての実行予定調理内容が複数段階の調理内容のうちのいずれの段階であるか、及び、実行予定調理内容が、調理者担当内容、放置形式内容及び調理器担当内容のいずれであるかを認識しながら、一つの献立についての調理作業を進めることができ、また、調理内容表示画面によって調理内容を確認しながら、各段階の調理内容を適切に行うことができる。
【０２１６】
〔別実施形態〕
次に、本発明の別実施形態を列記する。
（１）上記実施形態では、携帯情報端末としてのスマートフォン５に、入力手段としてのタッチパネル５２ｔと表示手段としてのディスプレイパネル５２ｄとを備える表示操作部５２、献立情報記憶部８０、及び、調理支援用制御手段としてのＨＭＩ制御部５１を装備する形態で調理支援装置を構成する場合を例示したが、ノートブック型のパソコンやデスクトップ型のパソコンを用いる形態で調理支援装置を構成してもよい。
【０２１７】
（２）上記実施形態では、表示部Ｍによって調理進行情報を表示するように構成したが、調理進行情報を表示するための具体構成は各種変更でき、同様に、調理内容情報を表示する形態も各種変更できる。
【０２１８】
（３）上記実施形態では、調理器としてのガスコンロ１の自動調理運転が終了したときに、調理器担当内容終了情報を表示させるようにしたが、それに加えて、ガスコンロ１が担当する調理内容の調理進捗情報を表示させるように構成してもよい。
すなわち、調理器としてのガスコンロ１が、設定運転条件に基づいた自動調理運転の進み具合を示す運転進行情報を通信し、調理支援用制御手段としのＨＭＩ制御部５１が、ガスコンロ１からの運転進行情報に基づいて、調理器担当内容に対応する調理内容の調理進捗情報を表示させるように構成してもよい。
尚、進捗情報の表示形態としては、残り時間がどのくらいかを示す時間情報を表示させる形態等、種々の形態を採用できる。
【０２１９】
（４）上記実施形態では、調理器として、１台のガスコンロ１を用いる場合を例示したが、電子レンジやミキサー等の複数台の調理器を用いる形態でもよく、その場合、必ずしも複数台の調理器の全てに対して、調理支援装置が通信できるように構成する必要はなく、通信できない一部の調理器に対しては、調理者が設定運転条件を手動にて設定する形態で実施すればよい。
【０２２０】
（５）本発明を実施するにあたり、献立を作成するのに必要とする時間が、２時間を超える程度に特別に長くかかることが予測される献立が存在する場合には、そのことを表示させるようにすれば、早めに調理を開始することや、本日の献立としては使用しないことを判断できるものとなってよい。
【０２２１】
表示の具体例としては、上記実施形態では、献立選択画面にて「レシピを見る」を指示することにより表示されるレシピ画面（図１６（Ｃ）参照）に、例えば、「調理必要時間が２時間を超えます」や、「調理必要時間は２時間３０分である」等、献立を作成するのに必要とする時間が、２時間を超える程度に特別に長くかかることを、文章にて表示することが好ましい。
【符号の説明】
【０２２２】
１        調理器
５        携帯情報端末
８０      献立情報記憶部
５１      調理支援用制御手段
５２ｄ    表示手段
５２ｔ    入力手段
【図１】
2014211802.tif 000003
【図２】
2014211802.tif 000004
【図３】
2014211802.tif 000005
【図４】
2014211802.tif 000006
【図５】
2014211802.tif 000007
【図６】
2014211802.tif 000008
【図７】
2014211802.tif 000009
【図８】
2014211802.tif 000010
【図９】
2014211802.tif 000011
【図１０】
2014211802.tif 000012
【図１１】
2014211802.tif 000013
【図１２】
2014211802.tif 000014
【図１３】
2014211802.tif 000015
【図１４】
2014211802.tif 000016
【図１５】
2014211802.tif 000017
【図１６】
2014211802.tif 000018
【図１７】
2014211802.tif 000019
【図１８】
2014211802.tif 000020
【図１９】
2014211802.tif 000021
【図２０】
2014211802.tif 000022
【図２１】
2014211802.tif 000023
【図２２】
2014211802.tif 000024
【図２３】
2014211802.tif 000025
【図２４】
2014211802.tif 000026
【図２５】
2014211802.tif 000027
【図２６】
2014211802.tif 000028
【図２７】
2014211802.tif 000029
【図２８】
2014211802.tif 000030